(57)【要約】【課題】伝送装置の消費電力を低減する。【解決手段】入力されたデータを分割し、複数の並列伝送チャネルを用いて前記分割データを送信する複数の送信部１０−１〜１０−４を有する伝送装置において、前記データ量に応じて前記複数の並列伝送チャネルのうち使用する少なくとも１つの並列伝送チャネルを決定し、前記複数の送信部１０−１〜１０−４のうち、前記決定した前記並列伝送チャネルを用いて前記分割データを送信する送信部１０−１に電源を供給する一方、前記複数の送信部１０−１〜１０−４のうち、前記分割データを送信しない送信部１０−２〜１０−４には電源を供給しない。【選択図】図１２
2010263610.tif 000002
【特許請求の範囲】
【請求項１】
入力されたデータを分割し、複数の並列伝送チャネルを用いて前記分割データを送信する伝送装置であって、
前記複数の並列伝送チャネルを用いて前記分割データを送信しうる複数の送信部と、
前記データ量に応じて前記複数の並列伝送チャネルのうち使用する少なくとも１つの並列伝送チャネルを決定するチャネル決定部と、
前記複数の送信部のうち、前記チャネル決定部により決定される前記並列伝送チャネルを用いて前記分割データを送信する送信部に電源を供給する一方、前記複数の送信部のうち、前記分割データを送信しない送信部には電源を供給しない電源制御部と、をそなえた、
ことを特徴とする、伝送装置。
【請求項２】
前記データは、１つの入力チャネルを介して前記伝送装置に入力され、前記分割データは、前記入力チャネルに対応する前記複数の並列伝送チャネルを介して出力される、
ことを特徴とする、請求項１記載の伝送装置。
【請求項３】
前記分割データを、前記電源制御部により前記電源を供給される、前記送信部に分配する分配部をさらにそなえた、
ことを特徴とする、請求項１または２に記載の伝送装置。
【請求項４】
前記送信部が、
前記チャネル決定部により決定された前記並列伝送チャネルに関する制御情報を送信する、
ことを特徴とする、請求項１〜３のいずれか１項に記載の伝送装置。
【請求項５】
前記制御情報は、前記分割データを送信する伝送フレームのヘッダ部分に含まれる、
ことを特徴とする、請求項４記載の伝送装置。
【請求項６】
前記電源の供給は、前記チャネル決定部による前記決定に先んじて行なわれる、
ことを特徴とする、請求項１〜５のいずれか１項に記載の伝送装置。
【請求項７】
前記分割データを保持する複数のメモリ部と、
前記データ量に応じて前記複数のメモリ部のうち使用する少なくとも１つのメモリ部を決定するメモリ制御部と、
前記複数のメモリ部のうち、前記メモリ制御部により決定された前記メモリ部に電源を供給する一方、前記複数のメモリ部のうち、前記メモリ制御部により決定されなかったメモリ部には電源を供給しないメモリ電源制御部と、をさらにそなえた、
ことを特徴とする、請求項１〜６のいずれか１項に記載の伝送装置。
【請求項８】
複数の並列伝送チャネルを用いて分割データを受信する伝送装置であって、
前記複数の並列伝送チャネルを用いて、前記分割データと、前記データ量に応じて請求項１〜７のいずれか１項に記載の伝送装置により決定された、前記複数の並列伝送チャネルのうち使用する少なくとも１つの並列伝送チャネルに関する制御情報とを受信しうる複数の受信部と、
前記受信部により受信した前記制御情報に基づいて、前記複数の受信部のうち、前記使用する少なくとも１つの並列伝送チャネルに対応する受信部に電源を供給する一方、前記複数の受信部のうち、前記使用する少なくとも１つの並列伝送チャネルに対応しない受信部には電源を供給しない電源制御部と、をそなえた、
ことを特徴とする、伝送装置。
【請求項９】
入力されたデータを分割し、複数の並列伝送チャネルを用いて前記分割データを送信する複数の送信部を有する伝送装置の通信制御方法であって、
前記データ量に応じて前記複数の並列伝送チャネルのうち使用する少なくとも１つの並列伝送チャネルを決定し、
前記複数の送信部のうち、前記決定した前記並列伝送チャネルを用いて前記分割データを送信する送信部に電源を供給する一方、前記複数の送信部のうち、前記分割データを送信しない送信部には電源を供給しない、
ことを特徴とする、通信制御方法。
【請求項１０】
複数の並列伝送チャネルを用いて分割データを受信する複数の受信部を有する伝送装置の通信制御方法であって、
前記複数の並列伝送チャネルを用いて、前記分割データと、前記データ量に応じて請求項１〜７のいずれか１項に記載の伝送装置により決定された、前記複数の並列伝送チャネルのうち使用する少なくとも１つの並列伝送チャネルに関する制御情報とを受信し、
前記受信した前記制御情報に基づいて、前記複数の受信部のうち、前記使用する少なくとも１つの並列伝送チャネルに対応する受信部に電源を供給する一方、前記複数の受信部のうち、前記使用する少なくとも１つの並列伝送チャネルに対応しない受信部には電源を供給しない、
ことを特徴とする、通信制御方法。
【請求項１１】
請求項１〜７のいずれか１項に記載の伝送装置と、請求項８記載の伝送装置と、をそなえた、
ことを特徴とする、伝送システム。
【請求項１２】
請求項１〜７のいずれか１項に記載の複数の伝送装置に複数の並列伝送チャネルをそれぞれ介して接続される複数の入力ポートと、前記複数の入力ポートに選択的に接続され、前記複数の入力ポートよりも少ない複数の出力ポートとを有する光スイッチと、
前記出力ポートにそれぞれ接続され、前記複数の伝送装置から送信されるデータを処理する複数の光モジュールと、
前記処理によりデータからそれぞれ抽出される、前記の各伝送装置による並列伝送チャネルの使用に関する制御情報に基づいて、前記光スイッチにおける入力ポートと出力ポートとの接続を制御する制御部とをそなえ、
前記制御部が、
前記伝送装置により使用される並列伝送チャネルが前記光モジュールに接続されるように前記光スイッチにおける入力ポートと出力ポートとの接続を制御する、
ことを特徴とする、集線装置。
【請求項１３】
前記の各伝送装置が、少なくとも１つの並列伝送チャネルをそれぞれ使用し、
前記制御情報が、当該並列伝送チャネルにより送信されるデータに含まれる、
ことを特徴とする、請求項１２記載の集線装置。
【請求項１４】
前記光モジュールが、
前記伝送装置により並列伝送チャネルを介して送信される複数のデータにそれぞれ含まれる、当該伝送装置の識別情報と当該並列伝送チャネルの識別情報とを抽出し、
前記抽出された伝送装置の識別情報と並列伝送チャネルの識別情報とに基づいた順序で前記複数のデータを並べ替えて出力する出力部をそなえた、
ことを特徴とする、請求項１２または１３に記載の集線装置。
【請求項１５】
請求項１〜７のいずれか１項に記載の伝送装置と、請求項１２〜１４のいずれか１項に記載の集線装置とをそなえた、
ことを特徴とする、伝送システム。
【発明の詳細な説明】
【技術分野】
【０００１】
本発明は、伝送装置、通信制御方法、集線装置及び伝送システムに関する。前記伝送装置には、例えば、複数の並列伝送チャネルによりデータを伝送する伝送装置が含まれる。
【背景技術】
【０００２】
近年、大容量のデータ伝送を実現するために、波長分割多重（Wavelength Divisional Multiplexing、ＷＤＭ）を用いる伝送システムが検討されている。また、上記伝送システムにおいて、伝送装置間の１チャネル（ｃｈ）当たりのリンク速度を約１００Ｇビット／秒とする通信規格の標準化が進んでいる。
上記通信規格の一例として、例えば、シリアル信号列を伝送する並列伝送チャネルを複数束ねることにより、合計１００Ｇｂｐｓのリンク速度を実現するMulti Lane Distribution（ＭＬＤ）方式が検討されている。
【０００３】
上記ＭＬＤ方式では、送信側の伝送装置において、送信するシリアル信号列を複数のバーチャルレーンに分配し、さらに複数のバーチャルレーンを各並列伝送チャネルにそれぞれ束ねて、複数の送信部によりデータを伝送する。一方、受信側では、各並列伝送チャネルを介して送信されるデータを複数の受信部により受信し、受信した複数のデータをシリアル信号列に変換する。
【０００４】
なお、伝送装置の消費電力を低減させる技術としては、物理レイヤ（ＰＨＹ）が、低消費電力モードに遷移するときに、該遷移に連動して、光トランシーバを低消費電力モードである待機状態に移行させる方法などが知られている。
【先行技術文献】
【特許文献】
【０００５】
【特許文献１】特開２００２−１１８５６３号公報
【発明の概要】
【発明が解決しようとする課題】
【０００６】
しかしながら、上述した方法では、伝送装置の消費電力を低減することができない場合がある。
そこで、本発明は、伝送装置の消費電力を低減することを目的の一つとする。
【課題を解決するための手段】
【０００７】
（１）第１の案として、入力されたデータを分割し、複数の並列伝送チャネルを用いて前記分割データを送信する伝送装置であって、前記複数の並列伝送チャネルを用いて前記分割データを送信しうる複数の送信部と、前記データ量に応じて前記複数の並列伝送チャネルのうち使用する少なくとも１つの並列伝送チャネルを決定するチャネル決定部と、前記複数の送信部のうち、前記チャネル決定部により決定される前記並列伝送チャネルを用いて前記分割データを送信する送信部に電源を供給する一方、前記複数の送信部のうち、前記分割データを送信しない送信部には電源を供給しない電源制御部と、をそなえた伝送装置を用いることができる。
【０００８】
（２）また、第２の案として、複数の並列伝送チャネルを用いて分割データを受信する伝送装置であって、前記複数の並列伝送チャネルを用いて、前記分割データと、前記データ量に応じて上記（１）に記載の伝送装置により決定された、前記複数の並列伝送チャネルのうち使用する少なくとも１つの並列伝送チャネルに関する制御情報とを受信しうる複数の受信部と、前記受信部により受信した前記制御情報に基づいて、前記複数の受信部のうち、前記使用する少なくとも１つの並列伝送チャネルに対応する受信部に電源を供給する一方、前記複数の受信部のうち、前記使用する少なくとも１つの並列伝送チャネルに対応しない受信部には電源を供給しない電源制御部と、をそなえた伝送装置を用いることができる。
【０００９】
（３）さらに、第３の案として、入力されたデータを分割し、複数の並列伝送チャネルを用いて前記分割データを送信する複数の送信部を有する伝送装置の通信制御方法であって、前記データ量に応じて前記複数の並列伝送チャネルのうち使用する少なくとも１つの並列伝送チャネルを決定し、前記複数の送信部のうち、前記決定した前記並列伝送チャネルを用いて前記分割データを送信する送信部に電源を供給する一方、前記複数の送信部のうち、前記分割データを送信しない送信部には電源を供給しない、通信制御方法を用いることができる。
【００１０】
（４）また、第４の案として、複数の並列伝送チャネルを用いて分割データを受信する複数の受信部を有する伝送装置の通信制御方法であって、前記複数の並列伝送チャネルを用いて、前記分割データと、前記データ量に応じて上記（１）に記載の伝送装置により決定された、前記複数の並列伝送チャネルのうち使用する少なくとも１つの並列伝送チャネルに関する制御情報とを受信し、前記受信した前記制御情報に基づいて、前記複数の受信部のうち、前記使用する少なくとも１つの並列伝送チャネルに対応する受信部に電源を供給する一方、前記複数の受信部のうち、前記使用する少なくとも１つの並列伝送チャネルに対応しない受信部には電源を供給しない、通信制御方法を用いることができる。
【００１１】
（５）さらに、第５の案として、上記（１）に記載の伝送装置と、上記（２）に記載の伝送装置とをそなえた伝送システムを用いることができる。
（６）また、第６の案として、上記（１）に記載の複数の伝送装置に複数の並列伝送チャネルをそれぞれ介して接続される複数の入力ポートと、前記複数の入力ポートに選択的に接続され、前記複数の入力ポートよりも少ない複数の出力ポートとを有する光スイッチと、前記出力ポートにそれぞれ接続され、前記複数の伝送装置から送信されるデータを処理する複数の光モジュールと、前記処理によりデータからそれぞれ抽出される、前記の各伝送装置による並列伝送チャネルの使用に関する制御情報に基づいて、前記光スイッチにおける入力ポートと出力ポートとの接続を制御する制御部とをそなえ、前記制御部が、前記伝送装置により使用される並列伝送チャネルが前記光モジュールに接続されるように前記光スイッチにおける入力ポートと出力ポートとの接続を制御する、集線装置を用いることができる。
【００１２】
（７）さらに、第７の案として、上記（１）に記載の伝送装置と、上記（６）に記載の集線装置とをそなえた伝送システムを用いることができる。
【発明の効果】
【００１３】
伝送装置の消費電力を低減することが可能となる。
【図面の簡単な説明】
【００１４】
【図１】伝送システムの構成の一例を示す図である。
【図２】伝送路符号化処理の一例を示す図である。
【図３】（Ａ）〜（Ｃ）は伝送フレーム送信の一例を示す図である。
【図４】一実施形態に係る伝送システムの構成の一例を示す図である。
【図５】図４に示す伝送装置の構成の一例を示す図である。
【図６】（Ａ）及び（Ｂ）は制御情報の一例を示す図である。
【図７】光送信部の構成の一例を示す図である。
【図８】送信制御部の構成の一例を示す図である。
【図９】図４に示す伝送装置の動作の一例を示す図である。
【図１０】データ量（またはバッファ使用率）の時間変化の一例を示す図である。
【図１１】受信制御部の構成の一例を示す図である。
【図１２】図４に示す伝送装置の動作の一例を示す図である。
【図１３】図４に示す伝送装置の動作の一例を示す図である。
【図１４】第１変形例に係る伝送装置の構成の一例を示す図である。
【図１５】データ量の時間変化の一例を示す図である。
【図１６】一実施形態に係る伝送システムの構成の一例を示す図である。
【図１７】一実施形態に係る伝送システムの構成の一例を示す図である。
【図１８】図１７に示すレーン識別部の構成の一例を示す図である。
【図１９】図１７に示す調停部の構成の一例を示す図である。
【図２０】図１７に示す光ＳＷの構成の一例を示す図である。
【図２１】図１７に示すテーブルの内容の一例を示す図である。
【図２２】図１７に示すテーブルの内容の一例を示す図である。
【図２３】図１７に示すメモリの構成の一例を示す図である。
【図２４】図１７に示す伝送システムの動作の一例を示す図である。
【図２５】図１７に示す伝送システムの動作の一例を示す図である。
【図２６】図１７に示す伝送システムの動作の一例を示す図である。
【図２７】一実施形態に係る伝送システムの構成の一例を示す図である。
【図２８】図２７に示すメモリの構成の一例を示す図である。
【図２９】図２７に示すレーン情報付加部の構成の一例を示す図である。
【図３０】図２７に示す伝送システムの動作の一例を示す図である。
【発明を実施するための形態】
【００１５】
以下、図面を参照して実施の形態を説明する。ただし、以下に示す実施形態は、あくまでも例示に過ぎず、以下に示す実施形態で明示しない種々の変形や技術の適用を排除する意図はない。即ち、本実施形態は、その趣旨を逸脱しない範囲で種々変形（各実施形態を組み合わせる等）して実施することができる。
〔１〕一実施形態
図１は、ＭＬＤ方式の伝送システムの構成の一例を示す図である。
【００１６】
この図１に示す伝送システム４００は、例示的に、伝送装置１００−１と、前記伝送装置１００−１と伝送路を介して接続される他の伝送装置１００−２とをそなえる。
図１に示す伝送システム４００は、例示的に、４０ｋｍ離れた伝送装置１００−１，１００−２間で、２５Ｇｂｐｓの並列伝送チャネル（以下、単にレーンということがある）を４本用いることにより、合計で１００Ｇｂｐｓのリンク速度を実現する。なお、伝送装置１００−１，１００−２間の並列伝送チャネルの数は４本に限定されず、例えば、１０Ｇｂｐｓの並列伝送チャネルを１０本用いて合計１００Ｇｂｐｓのリンク速度を実現するようにしてもよい。また、伝送装置１００−１，１００−２間のリンク速度は１００Ｇｂｐｓ以上であってもよい。
【００１７】
ここで、伝送装置１００−１は、例示的に、Ｌ１／Ｌ２フレーム生成・受信部２００−１と、送受信部３００−１〜３００−４とを有する。また、伝送装置１００−２は、例示的に、Ｌ１／Ｌ２フレーム生成・受信部２００−２と、送受信部３００−５〜３００−８とを有する。
Ｌ１／Ｌ２フレーム生成・受信部２００−１（２００−２）は、伝送装置１００−２（１００−１）宛に伝送するフレームを生成する一方、他の伝送装置１００−２（１００−１）から伝送されるフレームを受信する。
【００１８】
また、Ｌ１／Ｌ２フレーム生成・受信部２００−１（２００−２）は、シリアル信号列を生成し、生成したシリアル信号列を所定の単位で伝送路符号化し、伝送路符号化したシリアル信号列（伝送フレーム）を複数の送受信部３００−１〜３００−４（３００−５〜３００−８）に分配する。なお、分配方法としては、例えば、ラウンドロビン方式を用いることができる。さらに、Ｌ１／Ｌ２フレーム生成・受信部２００−１（２００−２）は、複数の送受信部３００−１〜３００−４（３００−５〜３００−８）により受信したフレームをシリアル信号列に変換する。
【００１９】
このため、Ｌ１／Ｌ２フレーム生成・受信部２００−１（２００−２）は、例示的に、ＭＡＣ（Media Access Control）処理部２０１と、物理層符号化（Physical Coding Sublayer、ＰＣＳ）部２０２と、Ｖｉｒｔｕａｌ  Ｌａｎｅ処理部２０３と、Ｍｕｘ（Multiplexer）２０４とをそなえる。
ＭＡＣ処理部２０１は、他の伝送装置１００−２（１００−１）に送信するデータを有するシリアル信号列を生成し、物理層符号化部２０２に送出する。ここで、ＭＡＣ処理部２０１は、例えば、前記シリアル信号列において、データがない区間にはアイドル信号や制御バイトなどを挿入する。シリアル信号列中、データが含まれない区間にアイドル信号などが挿入されることにより、例えば、伝送装置１００−１，１００−２は、データの実効帯域に関わらず、１００Ｇｂｐｓの帯域を使用することができる。これにより、シリアルリンク伝送方式においては、伝送装置１００−１，１００−２間で連続信号を送受信することができ、ＣＤＲ（Clock Data Recovery）を容易に行なうことが可能となる。また、並列リンク伝送方式においては、伝送装置１００−１，１００−２間で最低限のリンクを保持すれば、アイドル信号の削除前後でも同等のデータ伝送が可能となる。なお、本例では、ＭＡＣ処理部２０１と物理層符号化部２０２との間の伝送帯域は１００Ｇｂｐｓである。
【００２０】
物理層符号化部２０２は、ＭＡＣ処理部２０１からのシリアル信号列に符号化処理を施す。例えば、物理層符号化部２０２は、ＭＡＣ処理部２０１からのシリアル信号列を所定の単位でパターン判別し、当該パターンに応じた伝送路符号化処理を行なう。
ここで、図２に上記伝送路符号化処理の一例を示す。
この図２に示すように、例えば、シリアル信号列の一部が、各８Ｂ（バイト）の８個のデータバイト（Ｄ０〜Ｄ７）である場合〔データブロックフォーマット（Data Block Format）参照〕、物理層符号化部２０２は、６４Ｂの部分シリアル信号列の先頭に同期バイト（Sync）として「０１」を付加する。
【００２１】
一方、シリアル信号列の一部にデータバイト以外の信号（例えば、アイドル信号や制御バイトなど）（Ｃ０〜Ｃ７，Ｏ０，Ｏ４，Ｓ０，Ｓ４，Ｔ０〜Ｔ７）が含まれる場合〔コントロールブロックフォーマット（Control Block Format）参照〕、物理層符号化部２０２は、６４Ｂの部分シリアル信号列の先頭に同期バイトとして「１０」を付加する。このとき、アイドル信号及び制御バイトの各サイズは８バイト未満（例えば、７バイト）であるので、物理層符号化部２０２は、さらに８バイトのブロックタイプフィールド（Block Type Field）を付加する。図２に示すように、例えば、同期バイト「１０」が付加されるような伝送路符号化パターンは１５種類ある。
【００２２】
以上のように、物理層符号化部２０２は、シリアル信号列を所定の単位で切り出して、６４Ｂのシリアル信号列の先頭に２Ｂの同期バイトを付加することにより、伝送路符号化処理を行なう。物理層符号化部２０２により伝送路符号化処理を施された６６Ｂのシリアル信号列は、Ｖｉｒｔｕａｌ  Ｌａｎｅ処理部２０３に送出される。このとき、物理層符号化部２０２で、シリアル信号列の信号長が６６Ｂ／６４Ｂ倍されるので、物理層符号化部２０２とＶｉｒｔｕａｌ  Ｌａｎｅ処理部２０３との間の伝送帯域は１００Ｇｂｐｓ×６６Ｂ／６４Ｂ＝１０３．１２５Ｇｂｐｓとなる。
【００２３】
Ｖｉｒｔｕａｌ  Ｌａｎｅ処理部２０３は、物理層符号化部２０２により伝送路符号化されたシリアル信号列（伝送フレーム）に含まれる、複数のブロック（データブロックまたはコントロールブロック）を複数のバーチャルレーンに分配する。なお、分配の方法としては、前述のように、ラウンドロビン方式を用いることができる。
図１に示す例では、Ｖｉｒｔｕａｌ  Ｌａｎｅ処理部２０３により、前記ブロックは、例えば、各伝送帯域が約５Ｇｂｐｓの２０本のバーチャルレーンに分配され、Ｍｕｘ２０４へ送出される。なお、シリアル信号列には、アイドル信号などが挿入され、信号が連続しているので、Ｖｉｒｔｕａｌ  Ｌａｎｅ処理部２０３は、データの実効帯域を意識することなく、上記ブロックを複数のバーチャルレーンに分配することが可能になる。本例では、Ｖｉｒｔｕａｌ  Ｌａｎｅ処理部２０３により、例えば、図２に示すデータブロック（Ｄ０〜Ｄ７）及びコントロールブロック（Ｃ０〜Ｃ７，Ｏ０，Ｏ４，Ｓ０，Ｓ４，Ｔ０〜Ｔ７）が、図２の紙面左側から順に、バーチャルレーン１，２，３，４，１，２，３，４へと分配される。
【００２４】
Ｍｕｘ２０４は、Ｖｉｒｔｕａｌ  Ｌａｎｅ処理部２０３により分配されたバーチャルレーンを多重化する。本例のＭｕｘ２０４は、２０：４マルチプレクサとして構成され、Ｖｉｒｔｕａｌ  Ｌａｎｅ処理部２０３から入力された複数（図１では５本）のバーチャルレーンを束ねて、複数（図１では４本）の並列伝送チャネルに対応する送受信部３００−１〜３００−４（３００−５〜３００−８）へ伝送フレームを出力する。
【００２５】
送受信部３００−１〜３００−４（３００−５〜３００−８）は、Ｌ１／Ｌ２フレーム生成・受信部２００−１（２００−２）で生成した伝送フレームを光変調し、複数の並列伝送チャネルを介して受信側の伝送装置１００−２（１００−１）へ送出する。
一方、受信側の伝送装置１００−２（１００−１）では、複数の送受信部３００−５〜３００−８（３００−１〜３００−４）により、複数の並列伝送チャネルを介して上記伝送フレームを受信する。
【００２６】
そして、Ｌ１／Ｌ２フレーム生成・受信部２００−２（２００−１）により、送信側での手順と逆の手順により、受信した伝送フレームをシリアル信号列に変換する。
上述したように、図１に例示する伝送システムは、複数の並列伝送チャネルを１本のリンクとして束ねて用いることにより、大容量の伝送帯域（リンク速度）を実現する。
しかしながら、上記伝送装置１００−１，１００−２では、シリアル信号列に含まれるデータ量（データバイト量）に関わらず、送受信部３００−１〜３００−８を動作させるため、消費電力が増大する場合がある。
【００２７】
例えば、図３（Ａ）に示すように、アイドル信号ｉ，データ信号ｄ，フレーム開始信号ｓ，フレーム終端信号ｔを含むシリアル信号列を、伝送装置１００−１により送信する場合を考える。
この場合、物理層符号化部２０２が、上記シリアル信号列を伝送路符号化し、図３（Ｂ）に例示する伝送フレームを得る。この伝送フレームには、例えば、制御バイトとしてのアイドル信号〔Ｃ（ｉｄｌｅ）〕及びフレーム開始／終端信号〔Ｃ（ｓ／ｔ）〕と、データ信号（ｄａｔａ）とが含まれる。
【００２８】
そして、Ｖｉｒｔｕａｌ  Ｌａｎｅ処理部２０３及びＭｕｘ２０４により、図３（Ｂ）に示す伝送フレームが、複数のレーンに分配（マルチレーン化）され、結果、図３（Ｃ）に示す複数の伝送フレームが各並列伝送チャネルを介して受信側の伝送装置１００−２へ送出される。なお、前記マルチレーン化の際には、例えば、スキュー補正、シリアル化などの各処理を施すようにしてもよい。
【００２９】
ここで、図３（Ｃ）に示すように、各並列伝送チャネルにはアイドル信号も分配される。そのため、シリアル信号列（伝送フレーム）に含まれるアイドル信号の比率が大きくなる（データトラフィックが少なくなる）ほど、実効帯域に対して、送受信部３００−１〜３００−８の構成が過剰となる。結果、送受信部３００−１〜３００−８での消費電力や、伝送装置１００−１，１００−２の待機電力などが相対的に増大する場合がある。また、上記伝送システム４００において更なる広帯域化を行なう場合、送受信部３００−１〜３００−８の数が増加するので、消費電力が更に増大する場合がある。
【００３０】
（１．１）伝送システムの構成例
図４は、上記の点に留意した、一実施形態に係る伝送システムの構成の一例を示す図である。
この図４に示す光伝送システム３０は、例示的に、伝送装置１Ａと、前記伝送装置１Ａと伝送路を介して接続された伝送装置１Ｂとをそなえる。なお、伝送装置１Ａ，１Ｂを区別しない場合は、単に伝送装置１と称する。
【００３１】
伝送装置１Ａは、例えば、システム側から入力されたデータを分割し、複数の並列伝送チャネルを介して、伝送装置１Ｂとの間で前記分割されたデータ（以下、分割データという）を送受信する。ここで、前記データは、１つの入力チャネルを介して伝送装置１Ａに入力され、前記分割データは、前記入力チャネルに対応する複数の並列伝送チャネルを介して送信されるようにしてもよい。また、上記複数の並列伝送チャネルによる光領域におけるマルチレーン多重方式としては、例えば、並列光ファイバなどを用いた空間多重方式や、波長分割多重（ＷＤＭ）方式などを用いることができる。
【００３２】
（１．２）伝送装置１の構成例
ここで、図５に伝送装置１の構成の一例を示す。
この図５に示す伝送装置１は、例示的に、送信制御部２と、フレーム生成部７と、伝送路符号化部８と、多重部９と、光送信部１０と、光受信部１１と、分離部１２と、伝送路復号化部１３と、フレーム終端部１４と、受信制御部１５とをそなえる。
【００３３】
まず、伝送装置１の送信側の構成について説明する。
送信制御部２は、システム側で生成されたデータ及びアイドル信号の配置を制御してシリアル信号列を生成する。また、送信制御部２は、伝送フレームの開始位置を示すフレーム開始信号ｓ，伝送フレームの終端位置を示すフレーム終端信号ｔ，使用する並列伝送チャネルに関する制御情報ｃなどを、前記シリアル信号列の所定の位置に配置することもできる。送信制御部２により生成されたシリアル信号列は、フレーム生成部７へ送出される。
【００３４】
また、送信制御部２は、上記シリアル信号列の生成のために、上記データをバッファする。そして、送信制御部２は、入力されるデータ量（データのバッファ量）に応じて、使用する並列伝送チャネルを決定し、当該決定に基づいて、フレーム生成部７，伝送路符号化部８，光送信部１０への電源供給を制御する。
このため、送信制御部２は、例示的に、メモリ監視部３と、リンク制御部４と、メモリ部５と、ＩＦ（インタフェース）部６とをそなえる。
【００３５】
ＩＦ部６は、システム側と送信制御部２とのインタフェース機能を具備する。また、ＩＦ部６は、システム側で生成されたデータ及びアイドル信号を受信し、受信したデータをメモリ部５へ送出する。
さらに、ＩＦ部６は、後述するリンク制御部４からの制御に基づき、メモリ部５から読み出したデータとアイドル信号とを並べ替えて、シリアル信号列を生成する。また、ＩＦ部６は、生成したシリアル信号列に含まれるデータを分割してフレーム生成部７に分配する。なお、前記分配方法としては、例えば、ラウンドロビン方式を用いることができる。
【００３６】
メモリ部５は、ＩＦ部６から受信した分割データをバッファする。なお、メモリ部５は、複数のメモリをそなえていてもよく、分割データの他、アイドル信号をバッファするようにしてもよい。その場合、メモリ部５は、分割データをバッファするデータメモリと、アイドル信号をバッファするアイドル信号メモリとをそなえていてもよい。
メモリ監視部３は、システム側から入力されたデータ量を監視し、その監視結果に基づき、データ送信に使用する並列伝送チャネルを決定する。本例のメモリ監視部３は、例えば、メモリ部５にバッファされた分割データ量（またはバッファ使用率など）を監視するようにしてもよく、メモリ監視部３は、上記分割データ量に応じて、使用する並列伝送チャネルの数（または増減）を決定してもよい。
【００３７】
また、ＩＦ部６により、メモリ監視部３で使用を決定された並列伝送チャネルに関する制御情報を、上記分割データとともにフレーム生成部７へ送出してもよい。これにより、メモリ監視部３で使用を決定された並列伝送チャネルに関する制御情報を他の伝送装置１Ｂへ通知できる。その結果、伝送装置１Ｂは、当該制御情報に基づいて、受信側の構成（光受信部１１，分離部１２，伝送路符号化部１３及びフレーム終端部１４）への電源供給を制御することができる。なお、上記制御情報は、複数の並列伝送チャネルのうち、メモリ監視部３で使用を決定された並列伝送チャネルの増減に関する情報を含むものであってもよいし、メモリ監視部３で使用しないと決定された並列伝送チャネルに関する情報（増減に関する情報など）を含むものであってもよい。また、上記制御情報は、伝送装置１が伝送する伝送フレームのヘッダ部分に含まれてもよい。さらに、上記制御情報は、少なくとも１つの並列伝送チャネルで送信されるようにしてもよく、または、伝送装置１Ａ，１Ｂ間で必ず使用するチャネルで送信されるようにしてもよい。
【００３８】
ここで、図６（Ａ）に上記制御情報の配置例を示す。
この図６（Ａ）に例示するように、上記制御情報は、ＩＦ部６で生成されるシリアル信号列において、フレーム開始信号ｓの前やフレーム終端信号ｔの後などのフレーム間ギャップに配置することができる。
また、図６（Ｂ）に例示するように、制御情報は、例えば、８ビットで構成することができる。この図６（Ｂ）に例示する制御情報では、例示的に、光送信部１０−１〜１０−ｎの追加または削減に関する情報「Ｒｅｑ」を１ビット目に配置し、光受信部１１−１〜１１−ｎの追加または削減に関する情報「Ａｃｋ」を１ビット目に配置する。また、追加または削減する並列伝送チャネルの識別番号（レーン番号）を、制御情報の３ビット目〜８ビット目に格納してもよい。
【００３９】
リンク制御部４は、メモリ監視部３での上記決定に基づいて、フレーム生成部７−１〜７−ｍ（ｍは２以上の整数），伝送路符号化部８−１〜８−ｍ，多重部９及び光送信部１０−１〜１０−ｎ（ｎは２以上の整数）への電源供給を制御する。例えば、リンク制御部４は、メモリ監視部３で使用を決定された並列伝送チャネルを用いて分割データを送信するフレーム生成部７−１〜７−ｍ，伝送路符号化部８−１〜８−ｍ，多重部９及び光送信部１０−１〜１０−ｎに電源を供給する。一方、リンク制御部４は、分割データを送信しない並列伝送チャネルに対応するフレーム生成部７−１〜７−ｍ，伝送路符号化部８−１〜８−ｍ，多重部９及び光送信部１０−１〜１０−ｎへの電源を供給しない（または、電源供給を停止する）ことができる。
【００４０】
また、リンク制御部４は、メモリ監視部３での上記決定に基づいて、ＩＦ部６での分割データの配置（並べ替え）を制御することもできる。例えば、リンク制御部４は、メモリ監視部３で使用を決定された並列伝送チャネルに分割データが分配されるように、シリアル信号列におけるデータの配置位置を制御する。これにより、例えば、ＩＦ部６により、シリアル信号列がラウンドロビン方式で分配されたとしても、メモリ監視部３で使用を決定された並列伝送チャネルに分割データを分配することができる。一方、メモリ監視部３で使用しないと決定された並列伝送チャネルには、アイドル信号を分配するようにしてもよい。また、メモリ監視部３で使用を決定された並列伝送チャネルには、データとともに、当該並列伝送チャネルに関する制御情報が含まれるようにしてもよい。
【００４１】
フレーム生成部７は、フレーム生成部７−１〜７−ｍをそなえる。フレーム生成部７−１〜７−ｍは、ＩＦ部６により分配された各シリアル信号列に所定のフレーム生成処理をそれぞれ施し、伝送フレームを生成する。フレーム生成部７−１〜７−ｍにより生成された伝送フレームは、伝送路符号化部８へ送出される。また、フレーム生成部７−１〜７−ｍは、リンク制御部４からの電源供給に応じて、オンオフ制御される。
【００４２】
伝送路符号化部８は、伝送路符号化部８−１〜８−ｍをそなえる。伝送路符号化部８−１〜８−ｍは、フレーム生成部７−１〜７−ｍから入力された各伝送フレームについて、所定の伝送路符号化処理を施す。伝送路符号化部８−１〜８−ｍにより伝送路符号化処理を施された伝送フレームは、多重部９へ送出される。また、伝送路符号化部８−１〜８−ｍは、リンク制御部４からの電源供給に応じて、オンオフ制御される。
【００４３】
多重部９は、伝送路符号化部８−１〜８−ｍから入力された複数の伝送フレームを複数（図５ではｎ個）のグループに多重し、多重後の信号を光送信部１０−１〜１０−ｎへ送出する。
光送信部１０は、光送信部１０−１〜１０−ｎをそなえる。光送信部１０−１〜１０−ｎは、多重部９からの伝送フレームに所定の光送信処理を施し、各並列伝送チャネル（レーン＃１〜レーン＃ｎ）へ送出する。図５に示す例では、複数の光伝送路が１リンクを構成する。また、後述するように、光送信部１０は、光送信部１０−１〜１０−ｎを制御する光モジュール制御部２８をそなえていてもよい。
【００４４】
即ち、フレーム生成部７，伝送路符号化部８，多重部９及び光送信部１０は、複数の並列伝送チャネルを用いて分割データを送信しうる複数の送信部の一例として機能する。
次に、伝送装置１の受信側の構成について説明する。
光受信部１１は、光受信部１１−１〜１１−ｎをそなえる。光受信部１１−１〜１１−ｎは、他の伝送装置１Ｂから複数の並列伝送チャネル（レーン＃１〜レーン＃ｎ）を介して分割データを受信する。光受信部１１−１〜１１−ｎにより受信された分割データは、分離部１２へ送出される。また、光受信部１１−１〜１１−ｎは、リンク制御部１６からの電源供給に応じて、オンオフ制御される。
【００４５】
分離部１２は、光受信部１１−１〜１１−ｎから入力された多重信号（分割データなど）を複数（図５ではｎ個）の伝送フレームに分離する。分離部１２により分離された各伝送フレームは、伝送路復号化部１３−１〜１３−ｍへ送出される。また、分離部１２は、リンク制御部１６からの電源供給に応じて、オンオフ制御される。
伝送路復号化部１３は、伝送路復号化部１３−１〜１３−ｍをそなえる。伝送路復号化部１３−１〜１３−ｍは、分離部１２からのｍ個の伝送フレームについて、それぞれ所定の伝送路復号化処理を施す。伝送路復号化部１３−１〜１３−ｍにより伝送路復号化処理を施された伝送フレームは、フレーム終端部１４−１〜１４−ｍへ送出される。また、伝送路復号化部１３−１〜１３−ｍは、リンク制御部１６からの電源供給に応じて、オンオフ制御される。
【００４６】
フレーム終端部１４は、フレーム終端部１４−１〜１４−ｍをそなえる。フレーム終端部１４−１〜１４−ｍは、伝送路復号化部１３−１〜１３−ｍからの伝送フレームをそれぞれ終端処理する。フレーム終端部１４−１〜１４−ｍにより終端処理を施された伝送フレームは、受信制御部１５へ送出される。また、フレーム終端部１４−１〜１４−ｍは、リンク制御部１６からの電源供給に応じて、オンオフ制御される。
【００４７】
受信制御部１５は、フレーム終端部１４−１〜１４−ｍからの伝送フレームをシリアル信号列に変換する。また、受信した伝送フレームに含まれる制御情報に基づいて、フレーム終端部１４，伝送路符号化部１３，分離部１２及び光受信部１１への電源供給を制御する。
このため、受信制御部１５は、例示的に、リンク制御部１６と、ＩＦ部１７とをそなえる。
【００４８】
ＩＦ部１７は、フレーム終端部１４から入力される分割データに含まれる前述の制御情報を抽出し、リンク制御部１６へ送出する。また、ＩＦ部１７は、フレーム終端部１４から入力されるデータにアイドル信号を付加（挿入）してシリアル信号列を生成し、システム側へ送出する。
リンク制御部１６は、ＩＦ部１７で抽出した制御情報に基づいて、使用する並列伝送チャネルを決定し、当該並列伝送チャネルに対応するフレーム終端部１４−１〜１４−ｍ，伝送路符号化部１３−１〜１３−ｍ，分離部１２及び光受信部１１−１〜１１−ｎへの電源供給を制御する。例えば、リンク制御部１６は、制御情報に基づいて使用を決定した並列伝送チャネルに対応するフレーム終端部１４−１〜１４−ｍ，伝送路符号化部１３−１〜１３−ｍ，分離部１２及び光受信部１１−１〜１１−ｎに電源を供給することができる。一方、リンク制御部１６は、前記使用を決定した並列伝送チャネルに対応しない並列伝送チャネルに対応するフレーム終端部１４−１〜１４−ｍ，伝送路符号化部１３−１〜１３−ｍ，分離部１２及び光受信部１１−１〜１１−ｎへ電源を供給しない（または、電源供給を停止する）ことができる。
【００４９】
即ち、フレーム終端部１４−１〜１４−ｍ，伝送路符号化部１３−１〜１３−ｍ，分離部１２及び光受信部１１−１〜１１−ｎは、複数の並列伝送チャネルを用いて、分割データと、前記データ量に応じて他の伝送装置１Ｂにより決定された、前記複数の並列伝送チャネルのうち使用する少なくとも１つの並列伝送チャネルに関する制御情報とを受信しうる複数の受信部の一例として機能する。
【００５０】
以上のような構成を有することにより、伝送装置１は、入力されるデータトラフィック量に応じて、送受信部における電源供給を制御することができるので、消費電力を低減することが可能となる。
（１．３）光送信部１０の構成例
次に、図７を用いて光送信部１０の構成の一例について説明する。
【００５１】
この図７に示すように、光送信部１０は、例示的に、光送信部１０−１〜１０−ｎと、光モジュール制御部２８とをそなえる。なお、光送信部１０は、例えば、ＷＤＭ用レーザとして構成されてもよい。
ここで、光モジュール制御部２８は、光送信部１０−１〜１０−ｎを制御する。例えば、光モジュール制御部２８は、送信制御部２からの制御に従って、光送信部１０−１〜１０−ｎの波長や、デバイス温度などを制御することができる。
【００５２】
このため、光モジュール制御部２８は、例示的に、温調制御部２９と、波長モニタ部３１とをそなえる。
波長モニタ部３１は、光送信部１０−１〜１０−ｎから送信される信号光の波長をモニタする。当該モニタ結果は、温調制御部２９へ通知される。
温調制御部２９は、光送信部１０−１〜１０−ｎのデバイス温度を制御する。例えば、温調制御部２９は、送信制御部２により使用すると決定された並列伝送チャネルに対応する光送信部１０−１〜１０−ｎのデバイス温度を動作温度に変化させ、さらにデバイス温度を安定化させる。このとき、温調制御部２９は、例えば、波長モニタ部３１でのモニタ結果に基づいて、温度制御を行なうようにしてもよい。これにより、光送信部１０−１〜１０−ｎが有するレーザなどの発光手段からの発光波長を一定にすることが可能となる。
【００５３】
（１．４）送信制御部２の構成例
次に、図８を用いて送信制御部２の構成の一例を説明する。
この図８に示すように、送信制御部２は、例示的に、ＩＦ部６と、メモリ部５と、リンク制御部４と、メモリ監視部３とをそなえ、ＩＦ部６は、例示的に、アイドル信号除去部２５と、メモリＩＦ部２６と、トラフィック分配部２７とをそなえる。また、メモリ部５は、例示的に、メモリ制御部２４と、メモリ２３ａ〜２３ｄとをそなえる。なお、メモリ２３ａ〜２３ｄを区別しない場合は、単にメモリ２３と称し、メモリ２３の数は、図８に示す例に限定されない。さらに、メモリ監視部３は、例示的に、データ蓄積量監視部１９と、チャネル増減決定部１８とをそなえる。また、リンク制御部４は、例示的に、チャネル増減制御部２０と、電源制御部２１と、チャネル分配制御部２２とをそなえる。
【００５４】
ここで、アイドル信号除去部２５は、システム側から入力されるシリアル信号列に含まれるアイドル信号を除去する。システム側から入力されるシリアル信号列には、データとアイドル信号とがランダムに配置されている。図８に示す例では、データ（Ｄ０，Ｄ１）とアイドル信号（Ｉ０〜Ｉ５）とからなるシリアル信号列から、アイドル信号（Ｉ０〜Ｉ５）を除去し、得られたデータ（Ｄ０，Ｄ１）をメモリＩＦ部２６へ送出する。
【００５５】
メモリＩＦ部２６は、アイドル信号除去部２５から受信したデータ（Ｄ０，Ｄ１）をメモリ制御部２４へ送出する。また、メモリＩＦ部２６は、メモリ制御部２４にデータ（Ｄ０，Ｄ１）の読み出しを要求することにより、メモリ制御部２４からデータ（Ｄ０，Ｄ１）を受信し、当該データを分割した分割データをトラフィック分配部２７へ送出する。
トラフィック分配部２７は、アイドル信号（Ｉ０〜Ｉ５）を生成するとともに、チャネル分配制御部２２からの制御に基づき、生成したアイドル信号（Ｉ０〜Ｉ５）と、メモリＩＦ部２６から受信した分割データ（Ｄ０，Ｄ１）とを並べ替えて、シリアル信号列を生成する。このとき、トラフィック分配部２７は、例えば、チャネル増減決定部１８により使用すると決定された並列伝送チャネルに対応するフレーム生成部７（例えば、フレーム生成部７−１）に分割データ（Ｄ０，Ｄ１）が分配されるように、分割データ（Ｄ０，Ｄ１）の配置を制御する。配置制御後のシリアル信号列は、トラフィック分配部２７により、例えば、ラウンドロビン方式でフレーム生成部７−１〜７−ｍへ分配される。
【００５６】
即ち、トラフィック分配部２７は、送信する分割データを、電源制御部２１により電源を供給されるフレーム生成部７，伝送路符号化部８，多重部９及び光送信部１０に分配する分配部の一例として機能する。
メモリ制御部２４は、メモリ２３の書き込み及び読み出しを制御する。例えば、メモリ制御部２４は、メモリＩＦ２６から受信したデータ（Ｄ０，Ｄ１）をメモリ２３ａに書込む一方、メモリＩＦ２６からの読み出し要求に応じて、メモリ２３ａからデータ（Ｄ０，Ｄ１）を読み出し、メモリＩＦ部２６へ送出する。また、メモリ制御部２４は、例えば、各メモリ２３におけるデータ量（またはデータについてのバッファ使用率）を検出する。
【００５７】
メモリ２３は、データ（Ｄ０，Ｄ１）を格納する。なお、メモリ２３は、例えば、データ（Ｄ０，Ｄ１）の他、アイドル信号（Ｉ０〜Ｉ５）を格納してもよい。この場合、メモリ２３は、例えば、データ（Ｄ０，Ｄ１）を格納するデータメモリと、アイドル信号（Ｉ０〜Ｉ５）を格納するアイドル信号メモリとで構成されてもよい。また、この場合、アイドル信号除去部２５を省略してもよい。さらに、この場合、トラフィック分配部２７は、アイドル信号（Ｉ０〜Ｉ５）を生成せずに、メモリ２３から読み出すようにしてもよい。
【００５８】
データ蓄積量監視部１９は、メモリ２３におけるデータ（Ｄ０、Ｄ１）の蓄積量（またはバッファ使用率）を監視する。前記監視結果は、チャネル増減決定部１８に送出される。
チャネル増減決定部１８は、データ蓄積量監視部１９での監視結果に基づいて、使用する並列伝送チャネルを決定する。例えば、チャネル増減決定部１８は、メモリ２３におけるデータ量（バッファ使用率）と所定の閾値を比較し、その大小関係に応じて、使用する並列伝送チャネルを決定することができる。
【００５９】
即ち、チャネル増減決定部１８は、データ量に応じて複数の並列伝送チャネルのうち使用する少なくとも１つの並列伝送チャネルを決定するチャネル決定部の一例として機能する。
チャネル増減決定部１８での前記決定は、チャネル増減制御部２０へ送出される。なお、チャネル増減決定部１８により、使用する（動作させる）並列伝送チャネルの増減（または数）を決定するようにしてもよい。
【００６０】
また、本例のチャネル増減決定部１８は、例えば、上記所定の閾値として、光デバイス閾値と、レーン閾値とを用いることができる。ここで、光デバイス閾値は、ｎ個の閾値Ｘ１，Ｘ２・・・，Ｘｎ（０＜Ｘ１＜Ｘ２＜・・・＜Ｘｎ）からなり、レーン閾値は、ｎ個の閾値Ｙ１，Ｙ２・・・，Ｙｎ（０＜Ｙ１＜Ｙ２＜・・・＜Ｙｎ）からなる。
まず、データ使用量がＸｉ（ｉ＝１〜ｎ）以上となった場合、チャネル増減決定部１８は、ｎ個の光送信部１０−１〜１０−ｎのうち、ｉ個の光送信部１０−１〜１０−ｉに電源を供給する。なお、このとき、電源の供給先は、光送信部１０−１〜１０−ｉに限定されず、合計ｉ個であれば他の組み合わせでもよい。
【００６１】
また、チャネル増減決定部１８は、電源を供給する光送信部１０−１〜１０−ｉに対応するｊ（ｊ＝１〜ｍ）個のフレーム生成部７−１〜７−ｊ及び伝送路符号化部８−１〜８−ｊに電源を供給する。なお、このとき、電源の供給先は、フレーム生成部７−１〜７−ｊ及び伝送路符号化部８−１〜８−ｊに限定されず、電源を供給するｉ個の光送信部１０に対応していれば、他の組み合わせでもよい。
【００６２】
次に、データ使用量がＹｉ（ｉ＝１〜ｎ）以上となった場合、チャネル増減決定部１８は、ｎ本の並列伝送チャネル（レーン）のうち、ｉ本のレーンを使用することを決定する。これにより、トラフィック分配部２７において、前記使用を決定されたレーンに分割データ（Ｄ０，Ｄ１）が分配されるようになる。
また、上記光デバイス閾値Ｘｉが上記レーン閾値Ｙｉよりも小さくなるように設定すれば、チャネル増減決定部１８によるレーン使用の決定に先んじて、各光デバイス（フレーム生成部７，伝送路符号化部８，多重部９及び光送信部１０）への電源供給を行なうことができる。これにより、伝送装置１は、並列伝送チャネルを用いたデータ伝送を確実に行なうことが可能となる。
【００６３】
チャネル増減制御部２０は、チャネル増減決定部１８での前記決定に基づいて、電源制御部２１及びチャネル分配制御部２２を制御する。例えば、チャネル増減制御部２０は、電源制御部２１に対して、電源の供給先を指示したり、チャネル分配制御部２２に対して、分割データ（Ｄ０，Ｄ１）及びアイドル信号（Ｉ０〜Ｉ５）の配置を指示することができる。
【００６４】
電源制御部２１は、チャネル増減制御部２０からの指示に基づいて、フレーム生成部７，伝送路符号化部８，多重部９及び光送信部１０への電源の供給を制御する。例えば、電源制御部２１は、チャネル増減決定部１８により使用すると決定された並列伝送チャネルに対応するフレーム生成部７，伝送路符号化部８，多重部９及び光送信部１０へは電源を供給する。一方、チャネル増減決定部１８により使用しないと決定された並列伝送チャネルに対応するフレーム生成部７，伝送路符号化部８，多重部９及び光送信部１０へは電源を供給しない（または、電源の供給を停止する）。
【００６５】
即ち、電源制御部２１は、フレーム生成部７，伝送路符号化部８，多重部９及び光送信部１０のうち、チャネル増減制御部２０により使用を決定された並列伝送チャネルを用いて分割データを送信する送信部（フレーム生成部７，伝送路符号化部８，多重部９及び光送信部１０）に電源を供給する一方、前記複数の送信部のうち、分割データを送信しない送信部には電源を供給しない電源制御部の一例として機能する。
【００６６】
チャネル分配制御部２２は、チャネル増減制御部２０からの指示に基づいて、トラフィック分配部２７での分割データ（Ｄ０，Ｄ１）及びアイドル信号（Ｉ０〜Ｉ５）の並び替えを制御する。例えば、チャネル分配制御部２２は、チャネル増減決定部１８により使用すると決定された並列伝送チャネルに対応するフレーム生成部７，伝送路符号化部８，多重部９及び光送信部１０へ分割データ（Ｄ０，Ｄ１）が分配されるように配置を制御する。一方、チャネル増減決定部１８により使用しないと決定された並列伝送チャネルに対応するフレーム生成部７，伝送路符号化部８，多重部９及び光送信部１０へは分割データ（Ｄ０，Ｄ１）が分配されずに、アイドル信号が分配されるように配置を制御する。
【００６７】
これにより、トラフィック分配部２７は、チャネル分配制御部２２の制御に基づいて、チャネル増減決定部１８により使用すると決定された並列伝送チャネルに対応するフレーム生成部７，伝送路符号化部８，多重部９及び光送信部１０へ分割データ（Ｄ０，Ｄ１）が分配されるように分割データ（Ｄ０，Ｄ１）及びアイドル信号（Ｉ０〜Ｉ５）の配置を制御することができる。なお、トラフィック分配部２７は、チャネル増減決定部１８により使用すると決定された並列伝送チャネルに関する制御情報を生成し、上記分割データの分配先と同一の並列伝送チャネルに分配してもよい。
【００６８】
以上のように、本例の送信制御部２は、入力されるデータ量に応じて、使用する並列伝送チャネルを決定し、分割データを送信する送信構成（例えば、フレーム生成部７−１，伝送路符号化部８−１，多重部９及び光送信部１０−１）に電源を供給し、分割データを送信しない送信構成（例えば、フレーム生成部７−２〜７−ｍ，伝送路符号化部８−２〜８−ｍ及び光送信部１０−２〜１０−ｍ）に電源を供給しないことにより、消費電力の低減を図ることができる。
【００６９】
このとき、システム側から入力されるシリアル信号列には、データ（Ｄ０，Ｄ１）及びアイドル信号（Ｉ０〜Ｉ５）がランダムに配置されているので、このシリアル信号列をそのまま各送信構成に分配すると、電源が供給されない送信構成に分割データ（Ｄ０、Ｄ１）が分配され、正常に送信できない場合がある。
そこで、本例では、電源が供給される送信構成に分割データ（Ｄ０，Ｄ１）が分配され、電源が供給されない送信構成にアイドル信号（Ｉ０〜Ｉ５）が分配されるように、トラフィック分配部２７により、その配置を並び替えている。
【００７０】
なお、送信するデータがない場合は、全ての送信構成（フレーム生成部７，伝送路符号化部８，多重部９及び光送信部１０）への電源供給を停止するようにしてもよい。
（１．５）送信制御部２の動作例
次に、上記送信制御部２の動作について、図９を用いて説明する。
この図９に例示するように、まず、データ蓄積量監視部１９が、メモリ２３に格納されるデータ量（メモリ使用量またはバッファ使用率）を監視する（ステップＳ１）。
【００７１】
次に、チャネル増減決定部１８が、前記監視したデータ量と光デバイス閾値Ｘｉとを比較し、電源を供給するフレーム生成部７，伝送路符号化部８，多重部９及び光送信部１０（以下、これらをまとめて単に光デバイスということがある）を算出する（ステップＳ２）。
そして、チャネル増減制御部２０が、動作中（電源を供給中）の光デバイス数と、ステップＳ２において算出した光デバイス数とが等しいかどうかを判定する（ステップＳ３）。
【００７２】
チャネル増減制御部２０により、動作中（電源を供給中）の光デバイス数と、ステップＳ２において算出した光デバイス数とが等しいと判定された場合（ステップＳ３のＹｅｓルート）、送信制御部２は、相手側の伝送装置１Ｂに使用中の並列伝送チャネルの数（レーン数）を通知するとともに、上記光デバイスにより、使用中の並列伝送チャネルを介してデータを送信する（ステップＳ４）。
【００７３】
一方、チャネル増減制御部２０により、動作中（電源を供給中）の光デバイス数と、ステップＳ２において算出した光デバイス数とが等しくないと判定された場合（ステップＳ３のＮｏルート）、チャネル増減制御部２０が、ステップＳ２において算出した光デバイス数よりも、動作中の光デバイス数の方が小さいかどうかを判定する（ステップＳ５）。
ここで、チャネル増減制御部２０により、ステップＳ２において算出した光デバイス数よりも、動作中の光デバイス数の方が小さいと判定された場合（ステップＳ５のＹｅｓルート）、電源制御部２１が、ステップＳ２において算出した光デバイス数に等しくなるまで、光デバイスをＯＮ制御（つまり、新たな光デバイスに電源を供給）する（ステップＳ６）。
【００７４】
一方、チャネル増減制御部２０により、ステップＳ２において算出した光デバイス数よりも、動作中の光デバイス数の方が大きいと判定された場合（ステップＳ５のＮｏルート）、電源制御部２１が、ステップＳ２において算出した光デバイス数に等しくなるまで、光デバイスをＯＦＦ制御（つまり、動作中の光デバイスへの電源供給を停止）する（ステップＳ７）。
【００７５】
次に、チャネル増減決定部１８が、メモリ２３にバッファされたデータ量と、レーン閾値Ｙｉとを比較し、使用する並列伝送チャネル（レーン）を算出する（ステップＳ８）。
そして、チャネル増減制御部２０が、使用中のレーン数と、ステップＳ８において算出したレーン数とが等しいかどうかを判定する（ステップＳ９）。
チャネル増減制御部２０により、使用中のレーン数と、ステップＳ８において算出したレーン数とが等しいと判定された場合（ステップＳ９のＹｅｓルート）、送信制御部２は、相手側の伝送装置１Ｂに使用中の並列伝送チャネルの数（レーン数）を通知するとともに、上記光デバイスにより、使用中の並列伝送チャネルを介してデータを送信する（ステップＳ１０）。
【００７６】
一方、チャネル増減制御部２０により、使用中の光デバイス数と、ステップＳ８において算出したレーン数とが等しくないと判定された場合（ステップＳ９のＮｏルート）、チャネル増減制御部２０が、ステップＳ８において算出したレーン数よりも、使用中のレーン数の方が小さいかどうかを判定する（ステップＳ１１）。
ここで、チャネル増減制御部２０により、ステップＳ８において算出したレーン数よりも、使用中のレーン数の方が小さいと判定された場合（ステップＳ１１のＹｅｓルート）、トラフィック分配部２７が、ステップＳ８において算出したレーンにデータを再分配（新たなレーンにもデータを分配）する（ステップＳ１２）。
【００７７】
一方、チャネル増減制御部２０により、ステップＳ８において算出したレーン数よりも、使用中のレーン数の方が大きいと判定された場合（ステップＳ１１のＮｏルート）、トラフィック分配部２７が、ステップＳ８において算出したレーンにデータを再分配（それまで分配先であったレーンへの分配を停止）する（ステップＳ１３）。
そして、上記ステップＳ１２及びＳ１３の処理後、送信制御部２は、相手側の伝送装置１Ｂに使用中の並列伝送チャネルの数（レーン数）を通知するとともに、上記光デバイスにより、使用中の並列伝送チャネルを介してデータを送信する（ステップＳ１４）。
【００７８】
ここで、図１０にデータ量（またはバッファ使用率）の時間変化の一例を示す。
この図１０に例示するように、ｔ０≦ｔ＜ｔ６においてデータ量が増加し、ｔ６≦ｔ≦ｔ９においてデータ量が減少する場合、伝送装置１は以下のように動作する。なお、ｔ（ｔ≧０）は時刻を示す変数であり、ｔ０〜ｔ９は、０≦ｔ０＜ｔ１＜・・・＜ｔ９を満たす定数である。
【００７９】
まず、ｔ０≦ｔ＜ｔ１において、データ量が光デバイス閾値Ｘ１以上かつレーン閾値Ｙ１未満となるので、伝送装置１は、例えば、並列伝送チャネル（レーン＃１）に対応する光デバイスには電源を供給するが、レーン＃１を用いたデータ送信は行なわない。このとき、送信されないデータは、例えば、メモリ２３にバッファされる。なお、レーン閾値Ｙ１の値を０に設定すれば、上記バッファリングによるデータ未送信時間を防止することができる。
【００８０】
次に、ｔ１≦ｔ＜ｔ２において、データ量がレーン閾値Ｙ１以上となるので、伝送装置１は、例えば、レーン＃１を用いてデータを送信する。
また、ｔ２≦ｔ＜ｔ３において、データ量が光デバイス閾値Ｘ２以上かつレーン閾値Ｙ２未満となるので、伝送装置１は、例えば、レーン＃１及びレーン＃２に対応する光デバイスに電源を供給するが、レーン＃２は使用せず、レーン＃１を用いてデータを送信する。これにより、伝送装置１は、レーン＃２を用いたデータ送信の準備のために、レーン＃２に対応する光デバイスに前もって電源を供給することができる。
【００８１】
通常、光デバイスは、発信波長などがデバイス温度などに基づき制御されており、その制御が安定するまでには秒オーダの時間を要する。そのため、光デバイス閾値Ｘｉをレーン閾値Ｙｉよりも小さい値とすることにより、データ量がレーン閾値Ｙｉ以上となるときに、光デバイスを動作可能な状態にしておくことができる。
以上のように、データ量がレーン閾値Ｙ１以上レーン閾値Ｙ２未満である場合、伝送装置１は１本の並列伝送チャネル（１ＣＨ伝送帯域）でデータ送信を行なう。
【００８２】
次に、ｔ３≦ｔ＜ｔ４において、データ量がレーン閾値Ｙ２以上となるので、伝送装置１は、例えば、レーン＃１及びレーン＃２を用いてデータを送信する。
そして、ｔ４≦ｔ＜ｔ５において、データ量が光デバイス閾値Ｘ３以上かつレーン閾値Ｙ３未満となるので、伝送装置１は、例えば、レーン＃１〜レーン＃３に対応する光デバイスに電源を供給するが、レーン＃３は使用せず、レーン＃１及びレーン＃２を用いてデータを送信する。これにより、伝送装置１は、レーン＃３を用いたデータ送信の準備のために、レーン＃３に対応する光デバイスに前もって電源を供給することができる。
【００８３】
以上のように、データ量がレーン閾値Ｙ２以上レーン閾値Ｙ３未満である場合、伝送装置１は２本の並列伝送チャネル（２ＣＨ伝送帯域）でデータ送信を行なう。
次に、ｔ５≦ｔ＜ｔ７において、データ量がレーン閾値Ｙ３以上となるので、伝送装置１は、例えば、レーン＃１〜レーン＃３を用いてデータを送信する。
一方、ｔ＝ｔ６において、データ量が減少し始めると、ｔ７≦ｔ＜ｔ８において、データ量がレーン閾値Ｙ３未満かつ光デバイス閾値Ｘ３以上となるので、伝送装置１は、レーン＃１〜レーン＃３に対応する光デバイスへの電源供給は続けるが、レーン＃３へのデータ分配を停止し、レーン＃１及びレーン＃２を用いてデータを送信する。これにより、データ量が再び増加した場合、レーン＃３を速やかに使用することが可能となる。
【００８４】
そして、ｔ８≦ｔ≦ｔ９において、データ量が光デバイス閾値Ｘ３未満かつレーン閾値Ｙ２以上となるので、伝送装置１は、レーン＃３に対応する光デバイスへの電源供給を停止し、レーン＃１及びレーン＃２を用いてデータ送信を行なう。
なお、上記光デバイスの起動に要する時間はほぼ固定時間であるため、データ量の変動が急峻な場合には、上記光デバイス閾値Ｘｉ及びレーン閾値Ｙｉのレベル差が大きくなるように設定されてもよい。これにより、データフレーム落ちを防止して、データ送信を確実に行なうことができる。一方、データ量の変動が緩やかな場合には、上記光デバイス閾値Ｘｉ及びレーン閾値Ｙｉのレベル差が小さくなるように設定されてもよい。これにより、光デバイスの起動完了から並列伝送チャネルを用いたデータ送信までに掛かる時間を短縮することが可能となる。
【００８５】
また、上記光デバイス閾値Ｘｉ及びレーン閾値Ｙｉは、過去のデータトラフィック量やデータの波長数などに基づいて、動的に変更してもよいし、データトラフィック量などに関わらず、固定値としてもよい。
さらに、伝送装置１は、メモリ２３の使用率が所定の閾値以上となった場合に、システム側にデータの生成、入力を制限するバックプレッシャを発行するようにしてもよい。
【００８６】
以上のように、本例の伝送装置１によれば、入力されたデータ量に応じて、使用する光デバイス数及びレーン数を変更制御することができるので、データ量に応じた柔軟な装置構成を実現することができる。
また、本例の伝送装置１は、使用しない光デバイスへの電源の供給を停止することができるので、伝送装置１の消費電力を低減させることが可能となる。
【００８７】
さらに、本例の伝送装置１は、使用しない光デバイスへはデータを分配しないようにすることができるので、並列伝送チャネルを用いたデータ伝送を確実に行なうことが可能となる。
（１．６）受信制御部１５の構成例
次に、図１１を用いて受信制御部１５の構成の一例を説明する。
【００８８】
この図１１に示すように、受信制御部１５は、例示的に、リンク制御部１６と、ＩＦ部１７とをそなえる。
ここで、ＩＦ部１７は、複数の並列伝送チャネルを介して相手側の伝送装置１Ｂから受信した分割データから制御情報を抽出する。また、ＩＦ部１７は、受信した分割データにアイドル信号を付加（挿入）することにより、シリアル信号列を生成してシステム側へ送出する。
【００８９】
このため、ＩＦ部１７は、例示的に、制御情報抽出部３２と、アイドル信号付加部３３とをそなえる。
制御情報抽出部３２は、複数の並列伝送チャネルを介して相手側の伝送装置１Ｂから受信した伝送フレームから制御情報を抽出し、チャネル増減制御部３４へ送出する。制御情報は、図６（Ａ）を用いて前述したように、例えば、フレーム開始信号ｓの前やフレーム終端信号ｔの後などに配置されているので、制御情報抽出部３２は、これらの位置をタイミング検出することにより、制御情報を抽出することが可能となる。また、制御情報抽出部３２により制御情報を抽出された伝送フレームに含まれる分割データ（Ｄ０，Ｄ１）はアイドル信号付加部３３へ送出される。
【００９０】
アイドル信号付加部３３は、制御情報抽出部３２から入力される分割データ（Ｄ０，Ｄ１）にアイドル信号（Ｉ０〜Ｉ５）を付加して、シリアル信号列を生成し、システム側へ送出する。このとき、アイドル信号付加部３３は、チャネル増減制御部３４からの制御に基づいて、アイドル信号（Ｉ０〜Ｉ５）の位置を決定する。例えば、アイドル信号付加部３３は、チャネル増減制御部３４により使用を決定された並列伝送チャネル以外の並列伝送チャネルで伝送フレームを受信すれば、アイドル信号が受信される位置（タイミング）にアイドル信号（Ｉ０〜Ｉ５）を付加する。これにより、システム側は、伝送装置１における構成の変更を認識することなく、データ処理を行なうことができる。
【００９１】
リンク制御部１６は、ＩＦ部１７から通知される制御情報に基づいて、使用する並列伝送チャネルを決定し、当該決定に基づき、各受信構成（光受信部１１，分離部１２，伝送路復号化部１３及びフレーム終端部１４）への電源供給を制御する。また、リンク制御部１６は、前記決定に基づいて、アイドル信号付加部３３でのアイドル信号の付加位置を制御する。
【００９２】
このため、リンク制御部１６は、例示的に、チャネル増減制御部３４と、電源制御部３５とをそなえる。
チャネル増減制御部３４は、制御情報に基づいて、並列伝送チャネルの増減を決定する。例えば、チャネル増減制御部３４は、図６（Ｂ）を用いて前述したように、制御信号に含まれるＡｃｋ信号の値に応じて、使用する並列伝送チャネルの数を決定する。また、チャネル増減制御部３４は、前記決定結果を電源制御部３５に通知する。さらに、チャネル増減制御部３４は、前記決定結果をアイドル信号付加部３３へ送出する。
【００９３】
電源制御部３５は、チャネル増減制御部３４からの通知に基づいて、使用する並列伝送チャネルに対応する受信構成（光受信部１１，分離部１２，伝送路復号化部１３及びフレーム終端部１４）へ電源を供給する。一方、前記使用を決定された並列伝送チャネルに対応しない受信構成へは電源を供給しない（または、電源の供給を停止する）。
即ち、電源制御部３５は、ＩＦ部１７により受信した上記制御情報に基づいて、フレーム終端部１４−１〜１４−ｍ，伝送路符号化部１３−１〜１３−ｍ及び光受信部１１−１〜１１−ｎのうち、使用する少なくとも１つの並列伝送チャネルに対応するフレーム終端部１４−１〜１４−ｍ，伝送路符号化部１３−１〜１３−ｍ及び光受信部１１−１〜１１−ｎに電源を供給する一方、前記使用する少なくとも１つの並列伝送チャネルに対応しない他へは電源を供給しない電源制御部の一例として機能する。
【００９４】
これにより、本例の受信制御部１５は、相手側の伝送装置１Ｂから転送される制御情報に基づいて、自局１の受信構成への電源供給を制御することができる。これにより、伝送装置１は、受信構成での消費電力を低減させることが可能となる。
以上のように、本例の伝送装置１は、相手側の伝送装置１Ｂ（または１Ａ）から通知される制御情報に基づいて、受信側の構成の消費電力を低減させることができる。結果、伝送装置１での消費電力を大幅に低減させることが可能となる。
【００９５】
（１．７）伝送装置１の動作例
次に、伝送装置１における電源制御のバリエーションについて説明する。
ここで、図１２はＭＡＣ処理部（フレーム生成部７，フレーム終端部１４）から光送受信部１０，１１までの間が、レーン多重（シリアル）で接続されている場合の伝送装置１の動作の一例を示す図である。
【００９６】
この図１２に示す伝送装置１は、送信制御部２により使用を決定された並列伝送チャネル（図１２ではレーン＃１）に対応する送信構成（フレーム生成部７−１，伝送路符号化部８−１，多重部９及び光送信部１０−１）に電源を供給する一方、送信構成（フレーム生成部７−２〜７−ｍ，伝送路符号化部８−２〜８−ｍ及び光送信部１０−２〜１０−ｎ）へは電源を供給しない。
【００９７】
そして、送信制御部２により、使用する並列伝送チャネル（レーン＃１）に対応する送信構成へデータ及び制御信号が分配される一方、使用しない並列伝送チャネル（レーン＃２〜＃ｎ）に対応する送信構成へアイドル信号（Ｐａｄ信号）が分配される。
さらに、図１２に示す例では、フレーム生成部７−１が、データ及び制御信号を含む伝送フレームのみを生成し、生成した伝送フレームをレーン＃１を介して相手側の伝送装置１Ｂへ送信する。
【００９８】
一方、受信側では、伝送装置１は、制御情報により通知される並列伝送チャネル（例えば、レーン＃１）に対応する受信構成（光受信部１１−１，分離部１２，伝送路復号化部１３−１及びフレーム終端部１４−１）に電源を供給する一方、受信構成（光受信部１１−２〜１１−ｎ，伝送路復号化部１３−２〜１３−ｍ及びフレーム終端部１４−２〜１４−ｍ）へは電源を供給しない。
【００９９】
そして、受信制御部１５により、アイドル信号を付加してシリアル信号列を生成し、生成したシリアル信号列をシステム側へ送出する。
また、図１３はＰＣＳ部（伝送路符号化部８，伝送路復号化部１３）から光送受信部１０，１１までの間が、レーン多重（シリアル）で接続されている場合の伝送装置１の動作の一例を示す図である。このような伝送システムとしては、例えば、１０ＧｂＥのＸＡＵＩなどがある。
【０１００】
この図１３に示す伝送装置１は、送信制御部２により使用を決定された並列伝送チャネル（図１３ではレーン＃１）に対応する送信構成（フレーム生成部７−１，伝送路符号化部８−１，多重部９及び光送信部１０−１）及びフレーム生成部７−２〜７−ｍに電源を供給する一方、送信構成（伝送路符号化部８−２〜８−ｍ及び光送信部１０−２〜１０−ｎ）へは電源を供給しない。
【０１０１】
そして、送信制御部２により、使用する並列伝送チャネル（レーン＃１）に対応する送信構成へデータ及び制御信号が分配される一方、使用しない並列伝送チャネル（レーン＃２〜＃ｎ）に対応する送信構成へアイドル信号が分配される。
さらに、図１３に示す例では、フレーム生成部７−１が、データ及び制御信号を含む伝送フレームを生成する一方、フレーム生成部７−２〜７−ｍが、アイドル信号を含む伝送フレームを生成する。各フレーム生成部７−１〜７−ｍから送出された伝送フレームは、伝送路符号化部８−１〜８−ｍに入力されるが、フレーム生成部７−２〜７−ｍにより生成された伝送フレームには伝送路符号化処理が施されず、フレーム生成部７−１により生成された伝送フレームのみが符号化される。
【０１０２】
一方、受信側では、伝送装置１は、制御情報により通知される並列伝送チャネル（例えば、レーン＃１）に対応する受信構成（光受信部１１−１，分離部１２，伝送路復号化部１３−１及びフレーム終端部１４−１）及びフレーム終端部１４−２〜１４−ｍに電源を供給する一方、受信構成（光受信部１１−２〜１１−ｎ及び伝送路復号化部１３−２〜１３−ｍ）へは電源を供給しない。
【０１０３】
この場合、受信制御部１５の代わりに、伝送路復号化部１３によりアイドル信号が付加され、フレーム終端部１４により終端されて受信制御部１５へ送出される。
そして、受信制御部１５が、シリアル信号列を生成し、システム側へ送出する。
これにより、図１３に例示する伝送装置１は、アイドル信号により伝送帯域をフルに使用することが可能となる。
【０１０４】
なお、その他のバリエーションとして、例えば、使用しない並列伝送チャネルに対応する光送受信部１０，１１にのみ電源を供給しないようにしてもよい。
〔２〕第１変形例
上述した例では、データ量に応じて、伝送装置１の送信構成（フレーム生成部７，伝送路符号化部８，多重部９，光送信部１０）や、受信構成（光受信部１１，分離部１２，伝送路復号化部１３及びフレーム終端部１４）への電源供給を制御して、消費電力を低減する例について説明した。
【０１０５】
本例のように、入力されるデータ量に応じて、複数のメモリ２３ａ〜２３ｄへの電源供給を制御することにより、メモリ部５における消費電力を低減させてもよい。
図１４に本例の送信制御部２´の構成の一例を示す。
この図１４に示すように、送信制御部２´は、例示的に、ＩＦ部６と、メモリ部５´と、リンク制御部４と、メモリ監視部３とをそなえ、メモリ部５´は、例示的に、メモリ制御部２４と、分割データを保持（格納）するメモリ２３ａ〜２３ｄと、メモリ電源制御部３６とをそなえる。なお、メモリ２３ａ〜２３ｄの数は、図１４に示す例に限定されない。また、図８と同様の符号を付した構成については、前述の構成と同様の機能を有する。
【０１０６】
メモリ制御部２４は、入力されるデータ量に応じて、メモリ２３ａ〜２３ｄのうち使用する少なくとも１つのメモリ２３ａ〜２３ｄを決定する。
メモリ電源制御部３６は、メモリ制御部２４からの制御に基づいて、メモリ２３ａ〜２３ｄへの電源供給を制御する。
例えば、メモリ制御部２４により、データ量と個別メモリ閾値Ｚｂ，Ｚｃ，Ｚｄ（０＜Ｚｂ＜Ｚｃ＜Ｚｄ）とを比較し、その比較結果に基づいて、使用する少なくとも１つのメモリ２３ａ〜２３ｄを決定する。例えば、メモリ制御部２４は、データ量がＺｂ未満であれば、メモリ２３ａのみを使用することを決定し、データ量がＺｂ以上かつＺｃ未満であれば、メモリ２３ａ及び２３ｂのみを使用することを決定する。また、チャネル増減制御部２０は、例えば、データ量がＺｃ以上かつＺｄ未満であれば、メモリ２３ａ〜２３ｃのみを供給することを決定し、データ量がＺｄ以上であれば、メモリ２３ａ〜２３ｄを供給することを決定する。なお、上記制御はあくまで一例であり、例えば、データ量に応じた数のメモリ２３に電源を供給していればよい。
【０１０７】
そして、メモリ電源制御部３６は、メモリ制御部２４により使用を決定されたメモリ２３ａ〜２３ｄに電源を供給し、メモリ制御部２４により使用を決定されなかったメモリ２３ａ〜２３ｄには電源を供給しない。
ここで、図１５にデータ量（またはバッファ使用率）の時間変化の一例を示す。なお、ｔ１０〜ｔ１２は、０≦ｔ１０＜ｔ１１＜ｔ１２を満たす定数である。
【０１０８】
まず、ｔ１０≦ｔ＜ｔ１１において、データ量が個別メモリ閾値Ｚｂ以上かつ個別メモリ閾値Ｚｃ未満であるので、メモリ電源制御部３６は、メモリ２３ａ及び２３ｂに電源を供給し、メモリ２３ｃ及び２３ｄに電源を供給しない。
次に、ｔ１１≦ｔ＜ｔ１２において、データ量が個別メモリ閾値Ｚｃ以上かつ個別メモリ閾値Ｚｄ未満であるので、メモリ電源制御部３６は、メモリ２３ａ〜２３ｃに電源を供給し、メモリ２３ｄに電源を供給しない。
【０１０９】
そして、ｔ≧ｔ１２において、データ量が個別メモリ閾値Ｚｄ以上であるので、メモリ電源制御部３６は、メモリ２３ａ〜２３ｄに電源を供給する。
以上のように、本例の伝送装置１は、入力されたデータ量に応じて、複数のメモリ２３ａ〜２３ｄへの電源の供給を制御することができるので、消費電力を更に低減させることが可能となる。
【０１１０】
〔３〕伝送システムの一例
次に、複数の伝送装置１を集線してデータの伝送を行なう伝送システムについて説明する。
例えば、２５Ｇｂｐｓの並列伝送チャネルを４本用いることにより１００Ｇｂｐｓのリンク速度を実現する伝送装置１を２０個集線し、１Ｔｂｐｓ級の伝送路へ接続する伝送システムが考えられる。
【０１１１】
このような伝送システムでは、２０個の伝送装置１を集線するため、例えば、２０個の伝送装置１がそれぞれ有する４本の並列伝送チャネルに対応して、少なくとも８０（＝４×２０）個の光モジュールを有する集線装置を用いる。
なお、伝送装置１が用いる並列伝送チャネルの数は４本に限定されない。例えば、各伝送装置１が、１０Ｇｂｐｓの並列伝送チャネルを１０本用いることにより１００Ｇｂｐｓのリンク速度を実現するようにしてもよい。ただし、このような伝送装置１を集線する伝送システムにおいては、集線装置は、少なくとも２００（＝１０×２０）個の光モジュールを有する。
【０１１２】
ここで、図１６に上記伝送システムの構成の一例を示す。
この図１６に示す伝送システム４０は、例示的に、２０個の伝送装置１−１〜１−２０と、集線装置４１とをそなえる。なお、以下では、伝送装置１−１〜１−２０を区別しない場合、単に伝送装置１と表記することがある。また、伝送装置１の数は、図１６に例示する数に限定されないことはいうまでもない。
【０１１３】
伝送装置１は、既述のように、例えば、図５に示す、送信制御部２，フレーム生成部７，伝送路符号化部８，多重部９及び光送信部１０をそなえていてもよい。ここで、送信制御部２，フレーム生成部７，伝送路符号化部８，多重部９及び光送信部１０の各機能については、既に説明したものと同様であるため説明を省略する。
即ち、伝送装置１は、データ量に応じて複数の並列伝送チャネルのうち使用する少なくとも１つの並列伝送チャネルを決定し、前記決定した並列伝送チャネルを用いて分割データを送信する送信部に電源を供給する一方、分割データを送信しない送信部には電源を供給しない機能を有する。
【０１１４】
また、集線装置４１は、複数の伝送装置１をアップリンク（ＵＬ）側の伝送路あるいはＵＬ側の伝送システムへ集線する。つまり、集線装置４１は、複数の伝送装置１からのデータを基にＵＬ信号を生成し、生成したＵＬ信号をＵＬ側へ送信する機能を有する。
このため、集線装置４１は、例示的に、光受信部４２−１〜４２−８０と、スキュー補償部４３−１〜４３−８０と、信号再生部４４−１〜４４−８０と、メモリ４５と、ＵＬ信号生成部４６と、光送信部４７とをそなえる。なお、以下では、光受信部４２−１〜４２−８０を区別しない場合、単に光受信部４２と表記することがあり、スキュー補償部４３−１〜４３−８０を区別しない場合、単にスキュー補償部４３と表記することがあり、信号再生部４４−１〜４４−８０を区別しない場合、単に信号再生部４４と表記することがある。また、光受信部４２，スキュー補償部４３及び信号再生部４４の数は、それぞれ、図１６に例示する数に限定されないことはいうまでもない。
【０１１５】
光受信部４２は、伝送装置１から送信されるデータを受信し、スキュー補償部４３へ送出する。つまり、光受信部４２は、伝送装置１とのクライアントインターフェースである。
スキュー補償部４３は、光受信部４２からのデータについて、スキュー補償を行なう。スキューは、例えば、伝送装置１−１〜１−２０と集線装置１との間の伝送路長の差や、各伝送装置１が用いる信号光の波長の差など様々な要因によって発生する。スキュー補償部４３は、例えば、上記要因に関する情報などに基づいて、各伝送装置１から受信したデータ間のずれを補償する。スキュー補償部４３によりスキュー補償処理を施されたデータは、信号再生部４４へ送出される。
【０１１６】
信号再生部４４は、スキュー補償部４３からのデータについて、信号再生処理を行なう。ここで、信号再生処理とは、並列伝送される際に分割されたデータを、元のデータに再生する機能のことをいう。信号再生部４４により信号再生処理を施されたデータは、メモリ４５へ送出される。
メモリ４５は、信号再生部４４からのデータを伝送装置１毎に並べ替えてＵＬ信号生成部４６へ送出する。
【０１１７】
そして、ＵＬ信号生成部４６は、メモリ４５からのデータを基にＵＬ信号を生成する。例えば、ＵＬ信号生成部４６は、メモリ４５からのデータをパラレル／シリアル変換して集約する。そして、ＵＬ信号生成部４６は、例えば、集約したデータについて、ＵＬ側の伝送路あるいはＵＬ側の伝送システムで用いられる伝送フォーマットに応じたフォーマット変換処理などを施すことによりＵＬ信号を生成する。ＵＬ信号生成部４６により生成されたＵＬ信号は、光送信部４７へ送出される。
【０１１８】
光送信部４７は、ＵＬ信号生成部４６からのＵＬ信号に所定の光送信処理を施して、ＵＬ側の伝送路あるいはＵＬ側の伝送システムへ送信する。
以上のように、伝送システム４０は、複数の伝送装置１をＵＬ側へ集線することができる。
ただ、上記伝送システム４０では、合計４×２０本の並列伝送チャネルに対応して、光モジュール４２−１〜４２−８０，４３−１〜４３−８０，４４−１〜４４−８０を動作させるので、低トラフィック時やシステム待機時などに消費電力が増大する場合がある。
【０１１９】
また、通常、全ての伝送装置１において１００Ｇｂｐｓのトラフィック負荷が同時に生じるようなことは考えにくい。即ち、伝送システム４０において、２Ｔｂｐｓ（＝１００Ｇｂｐｓ×２０）のトラフィックが生じる確率は低く、半分の１Ｔｂｐｓのトラフィックに対応できれば十分実用的であるととらえてもよい。
そこで、以下では、上記に鑑み、複数の伝送装置１を集線する伝送システムにおける消費電力の削減方法について検討する。
【０１２０】
（３．１）伝送システムの構成例
図１７に伝送システム９０の構成の一例を示す。
この図１７に示す伝送システム９０は、例示的に、複数の伝送装置１−１〜１−Ｎ（Ｎは２以上の整数）と、集線装置４８とをそなえる。なお、以下では、伝送装置１−１〜１−Ｎを区別しない場合、単に伝送装置１と表記することがある。
【０１２１】
ここで、伝送装置１は、既述のように、データ量に応じて複数の並列伝送チャネルのうち使用する少なくとも１つの並列伝送チャネルを決定し、前記決定した並列伝送チャネルを用いて分割データを送信する送信部に電源を供給する一方、分割データを送信しない送信部には電源を供給しない機能を有する。
また、伝送装置１は、例えば、ｎ個の光送信部１０をそれぞれ有する。つまり、各伝送装置１は、ｎ本の並列伝送チャネルをそれぞれ介して集線装置４８に接続される。
【０１２２】
さらに、伝送装置１は、使用する並列伝送チャネルに関する制御情報を、データとともに送信することができる。なお、制御情報は、複数の並列伝送チャネルのうち、送信データ量に応じて使用を決定した並列伝送チャネルの増減に関する情報を含んでいてもよいし、送信データ量に応じて使用しないと決定した並列伝送チャネルに関する情報を含んでいてもよい。
【０１２３】
また、上記制御情報は、伝送装置１が伝送する伝送フレームのヘッダ部分に含まれてもよい。さらに、上記制御情報は、少なくとも１つの並列伝送チャネルで送信されるようにしてもよく、伝送装置が必ず使用する並列伝送チャネルにより送信されるようにしてもよい。
なお、制御情報の配置例については図６を用いて説明したとおりである。
【０１２４】
一方、集線装置４８は、Ｎ個の伝送装置１をＵＬ側の伝送路あるいはＵＬ側の伝送システムへ集線する。本例の集線装置４８は、例えば、Ｎ個の伝送装置１からのデータを集約してＵＬ信号を生成し、生成したＵＬ信号をＵＬ側へ送信する。
ここで、集線装置４８は、例示的に、光スイッチ（光ＳＷ）５１と、光受信部５２−１〜５２−ｑ（ｑは２以上の整数）と、レーン識別部５３−１〜５３−ｑと、メモリ５４と、調停部５５と、ＵＬ信号生成部４９と、光送信部５０とをそなえる。なお、以下では、光受信部５２−１〜５２−ｑを区別しない場合、単に光受信部５２と表記することがあり、レーン識別部５３−１〜５３−ｑを区別しない場合、単にレーン識別部５３と表記することがある。
【０１２５】
光ＳＷ５１は、伝送装置１からのデータを光受信部５２へ中継する。
本例の光ＳＷ５１は、Ｎ個の伝送装置１にｎ本の並列伝送チャネルをそれぞれ介して接続されるＮ×ｎ個の入力ポートと、当該Ｎ×ｎ個の入力ポートに選択的に接続され、Ｎ×ｎ個の入力ポートよりも少ない複数の出力ポートとを有する。
例えば、上記複数の出力ポートは、Ｎ個の伝送装置のそれぞれにＮ×ｎ個の入力ポートのうちいずれかＮ個の入力ポートを介して接続されるＮ個の第１出力ポートと、前記Ｎ個の入力ポート以外の（Ｎ−１）×ｎ個の入力ポートに選択的に接続されうるｐ｛ｐはｐ＜Ｎ×（ｎ−１）を満たす自然数）個の第２出力ポートとを有していてもよい。
【０１２６】
このとき、各伝送装置１は、例えば、１つの固定並列伝送チャネル（主レーン）をそれぞれ有し、各主レーンが、光ＳＷ５１のＮ×ｎ個の入力ポートのうちＮ個の入力ポートを介して、Ｎ個の第１出力ポートに接続されてもよい。
さらに、各伝送装置１は、例えば、主レーン以外に少なくとも１つの可変並列伝送チャネル（可変レーン）を有し、各可変レーンが、主レーンに接続された上記Ｎ個の入力ポート以外の（Ｎ−１）×ｎ個の入力ポートを介して、ｐ個の第２出力ポートに接続されうる。
【０１２７】
つまり、伝送装置１が使用する複数の並列伝送チャネルは、例えば、上記制御情報を含むデータを送信する主レーンと、データ量に応じて使用数が変化する可変レーンとに分けられる。
これにより、伝送装置１は、例えば、送信データ量に応じて、使用する並列伝送チャネルの数を決定するとともに、使用する並列伝送チャネルに関する制御情報を主レーンにより集線装置４８に送信することができる。なお、伝送装置１からの制御情報は、例えば、ＵＬ側へ通知されるようにしてもよい。これにより、ＵＬ側の伝送システムなどは、当該制御情報に基づいて、ＵＬ側において使用する並列伝送チャネル数を追加または削減することができる。
【０１２８】
また、光受信部５２は、伝送装置１から送信されるデータを受信し、レーン識別部５３へ送出する。つまり、光受信部５２は、伝送装置１とのクライアントインターフェースである。
レーン識別部５３は、光受信部５２により受信される伝送装置１からのデータについて、当該データに含まれるリンク番号及びレーン番号を抽出する。そして、抽出したリンク番号及びレーン番号に基づき、当該データがどの伝送装置１のどの並列伝送チャネルを介して送信されたかを識別する。
【０１２９】
ここで、リンク番号は、伝送装置１により並列伝送チャネルを介して送信される複数のデータにそれぞれ含まれる当該伝送装置１の識別情報の一例であり、レーン番号は、伝送装置１により並列伝送チャネルを介して送信される複数のデータにそれぞれ含まれる当該並列伝送チャネルの識別情報の一例である。
また、レーン識別部５３は、伝送装置１から送信されるデータに含まれる上記制御情報を抽出し、伝送装置１からの並列伝送チャネルの追加または削減要求を検出する。
【０１３０】
このため、レーン識別部５３は、図１８に例示するように、リンク／レーン識別部５６と、レーン増減要求処理部５７とをそなえる。
リンク／レーン識別部５６は、光受信部５２により受信される伝送装置１からのデータについて、当該データに含まれるリンク番号及びレーン番号に基づき、当該データがどの伝送装置１のどの並列伝送チャネルを介して送信されたかを識別する。当該識別結果は、リンク／レーン識別部５６により、メモリ５４へ通知される。
【０１３１】
レーン増減要求処理部５７は、伝送装置１から送信されるデータに含まれる上記制御情報を抽出し、伝送装置１からの並列伝送チャネルの追加または削減要求を検出する。当該検出結果は、レーン増減要求処理部５７により、調停部５５へ通知される。なお、並列伝送チャネルの追加または削減要求は主レーンを介して送信されるので、レーン増減要求処理部５７は、主レーンと接続されるレーン識別部５３（例えば、レーン識別部５３−１〜５３−２０）に少なくとも設けられていればよい。
【０１３２】
即ち、光受信部５２及びレーン識別部５３は、光ＳＷ５１の出力ポートにそれぞれ接続され、Ｎ個の伝送装置１から送信されるデータを処理する複数の光モジュールの一例として機能する。
また、調停部（制御部）５５は、レーン識別部５３により抽出される上記制御情報に基づいて、光ＳＷ５１における入力ポートと出力ポートとの接続を制御する。例えば、調停部５５は、伝送装置１からの並列伝送チャネルの追加または削減要求に基づいて、伝送装置１が使用する並列伝送チャネルが光受信部５２に接続されるように光ＳＷ５１における入力ポートと出力ポートとの接続を制御する。
【０１３３】
このため、調停部５５は、図１９に例示するように、レーン接続調停部６１と、光ＳＷ制御部６２と、テーブル６３とをそなえる。
レーン接続調停部６１は、レーン識別部５３によりデータから抽出される制御情報に基づいて、どの伝送装置１が並列伝送チャネルの追加または削減を要求しているかを把握し、当該要求に基づく処理が可能かどうか、即ち、レーンの追加または削減が可能かどうかを判断する。当該判断は、例えば、テーブル６３に格納される情報に基づいて行なわれる。
【０１３４】
テーブル６３は、光ＳＷ５１における出力ポートのポート番号と、当該出力ポートにより出力されるデータの送信元である伝送装置１のリンク番号と、当該データが伝送する並列伝送チャネルのレーン番号とを対応付けて格納する。
また、テーブル６３は、各伝送装置１が使用している並列伝送チャネルの数を格納する。
【０１３５】
テーブル６３により格納される上記の各情報は、例えば、システム管理者などにより予め設定されてもよいし、調停部５５により光ＳＷ５１から収集されることにより設定されてもよい。
ここで、図２０に光ＳＷ５１における接続の一例を示す。
この図２０に示すＳＷ５１では、一例として、入力ポートに、２５Ｇｂｐｓの並列伝送チャネルを４本用いることにより１００Ｇｂｐｓのリンク速度を実現する伝送装置１が２０個接続されている。即ち、図２０に示す例では、ｎ＝４であり、Ｎ＝２０である。
【０１３６】
また、各伝送装置１が用いる４本の並列伝送チャネルのうち、レーン番号＃１の並列伝送チャネルが主レーンとして割り当てられており、レーン番号＃２〜＃４の並列伝送チャネルがそれぞれ可変レーンとして割り当てられている。
さらに、光ＳＷ５１におけるポート番号＃１〜＃２０の出力ポートが各主レーンに接続される第１出力ポートとして割り当てられており、ポート番号＃２１〜＃４０の出力ポートが各可変レーンに接続されうる第２出力ポートとして割り当てられている。
【０１３７】
そのため、図２１に示す例では、光ＳＷ５１におけるポート番号＃１〜＃２０の出力ポートが、伝送装置１−１〜１−２０のレーン番号＃１の各主レーンと接続される一方、伝送装置１−１〜１−２０の一部の可変レーンが第２出力ポートのいずれかと接続されている。
このとき、テーブル６３には、図２１及び図２２に示すような情報を保持する。
【０１３８】
図２１に示す情報は、光ＳＷ５１における出力ポートのポート番号と、当該出力ポートにより出力されるデータの送信元である伝送装置１のリンク番号と、当該データが伝送する並列伝送チャネルのレーン番号とを対応付けた情報の一例である。
この図２１に示す例では、光ＳＷ５１におけるポート番号＃１の出力ポートから出力されるデータが伝送装置１−１（リンク番号＃１）の主レーン（レーン番号＃１）を介して伝送され、ポート番号＃２の出力ポートから出力されるデータが伝送装置１−２（リンク番号＃２）の主レーン（レーン番号＃１）を介して伝送されることを示している。また、光ＳＷ５１におけるポート番号＃２０の出力ポートから出力されるデータが伝送装置１−２０（リンク番号＃２０）の主レーン（レーン番号＃１）を介して伝送され、ポート番号＃２１〜２３の出力ポートから出力される各データが伝送装置１−２（リンク番号＃２）の各可変レーン（レーン番号＃２〜＃４）を介して伝送されることを示している。さらに、光ＳＷ５１におけるポート番号＃４０の出力ポートから出力されるデータが伝送装置１−２０（リンク番号＃２０）の可変レーン（レーン番号＃２）を介して伝送されたことを示している。
【０１３９】
一方、図２２に示す情報は、各伝送装置１が使用している並列伝送チャネルの数（レーン使用数）に関する情報の一例である。
この図２２に示す例では、伝送装置１−１（リンク番号＃１）が使用する並列伝送チャネルの使用数が１、伝送装置１−２（リンク番号＃２）が使用する並列伝送チャネルの使用数が４、伝送装置１−２０（リンク番号＃２０）が使用する並列伝送チャネルの使用数が２であることをそれぞれ示している。
【０１４０】
テーブル６３に格納される上記図２１及び図２２に示すような各情報に基づき、レーン接続調停部６１は、伝送装置１からのレーン追加要求に対して、追加可能な出力ポート（空きポート）があるかどうかを判断する。
そして、空きポートがあれば、当該伝送装置１に対してレーンの追加を許可する一方、空きポートがなければ、レーンの追加を許可しない。
【０１４１】
また、レーン接続調停部６１は、伝送装置１からのレーン削減要求に対して、当該レーンによりデータが送信中であるかどうかを判断するようにしてもよい。
そして、伝送装置１によるレーン削減要求の対象であるレーンによりデータが送信中であると判断すれば、当該伝送装置１に対してレーンの削減を許可しない一方、当該レーンによりデータが送信中でなければレーンの削減を許可する。
【０１４２】
また、レーン接続調停部６１は、上記判断の結果に応じて、テーブル内容を更新するとともに、判断結果をメモリ５４及び光ＳＷ制御部６２へ通知する。
光ＳＷ制御部６２は、レーン接続調停部６１での判断結果に基づいて、光ＳＷ５１における入力ポートと出力ポートとの接続を切り替え制御する。
以上のようにして、調停部５５は、本例のレーン接続調停部６１は、伝送装置１からのレーン追加または削減要求に基づいて、光ＳＷ５１における入力ポートと出力ポートとの接続を調停することができる。
【０１４３】
また、調停部５５は、伝送装置１により使用される可変レーンが光ＳＷ５１の第２出力ポートのいずれかに接続されるよう、光ＳＷ５１における入力ポートと第２出力ポートとの接続を制御することができる。
なお、調停部５５によりレーンの追加が可能であると判断された場合は、主レーンを介して、伝送装置１へ追加許可に関する情報が送信される。追加許可に関する情報を受信した伝送装置１は、可変レーンを追加し、当該レーンを用いてデータの送信を行なう。
【０１４４】
一方、調停部５５によりレーンの削除が可能であると判断された場合は、主レーンを介して、伝送装置１へ削除許可に関する情報が送信される。削除許可に関する情報を受信した伝送装置１は、可変レーンを削除し、当該レーンを用いて送信していたデータの送信を停止する。
ここで、図２３にレーン追加処理の一例を示す。
【０１４５】
この図２３に例示するように、まず、伝送装置１が、主レーンを介してレーンの追加要求を集線装置４８へ送信する（ステップＳ２０）。レーンの追加要求は、例えば、伝送装置１から主レーンを介して送信されるデータ中の制御情報に含まれるようにしてもよい。
次に、集線装置４８のレーン識別部５３は、光ＳＷ５１及び光受信部５２を介して受信したデータからレーン追加要求を抽出し、抽出したレーン追加要求を調停部５５へ送出する（ステップＳ２１）。
【０１４６】
調停部５５は、レーン識別部５３からレーン追加要求を受信すると、テーブル６３の内容に基づいて、当該レーン追加要求に基づくレーンの追加が可能かどうかを判断する。
調停部５５によりレーン追加が可能であると判断されると、テーブル６３の内容を更新するとともに（ステップＳ２２）、光ＳＷ制御部６２にレーンの追加を指示する（ステップＳ２６）。
【０１４７】
一方、調停部５５によりレーン追加が可能でないと判断されると、調停部５５は、伝送装置１に対してレーン追加を許可しないことを通知する。
光ＳＷ制御部６２は、調停部５５からのレーン追加の指示に基づいて、光ＳＷ５１における入力ポートと出力ポートとの接続を制御する（ステップＳ２７）。例えば、光ＳＷ制御部６２は、調停部５５により追加を許可された、伝送装置１により使用される可変レーンが、光ＳＷ５１の第２出力ポートのいずれかに接続されるよう、光ＳＷ５１における入力ポートと出力ポートとの接続を制御する。
【０１４８】
また、調停部５５によりレーン追加が可能であると判断されると、調停部５５は、レーン識別部５３へレーン追加の許可に関する情報を通知する（ＳステップＳ２３）。
そして、レーン識別部５３は、主レーンを介してレーン追加の許可に関する情報を伝送装置１へ通知する（ステップＳ２４）。
集線装置４８からレーン追加の許可に関する情報を通知された伝送装置１は、調停部５５により追加を許可された可変レーンを用いてデータの送信を開始する（ステップＳ２５）。
【０１４９】
一方、図２４にレーン削減処理の一例を示す。
この図２４に例示するように、まず、伝送装置１が、主レーンを介してレーン削減要求を集線装置４８へ送信する（ステップＳ３０）。レーン削減要求は、例えば、伝送装置１から主レーンを介して送信されるデータ中の制御情報に含まれるようにしてもよい。
次に、集線装置４８のレーン識別部５３は、光ＳＷ５１及び光受信部５２を介して受信したデータからレーン削減要求を抽出し、抽出したレーン削減要求を調停部５５へ送出する（ステップＳ３１）。
【０１５０】
調停部５５は、レーン識別部５３からレーン削減要求を受信すると、テーブル６３の内容に基づいて、当該レーン削減要求に基づくレーンの削減が可能かどうかを判断する。調停部５５は、例えば、主レーンが削除対象である場合には当該レーンの削減を許可しない一方、可変レーンが削除対象である場合にはレーンの削減を許可してもよい。
調停部５５によりレーンの削減が可能であると判断されると、テーブル６３の内容を更新するとともに（ステップＳ３２）、光ＳＷ制御部６２にレーンの削減を指示する（ステップＳ３６）。
【０１５１】
一方、調停部５５によりレーンの削減が可能でないと判断されると、調停部５５は、伝送装置１に対してレーン削減を許可しないことを通知する。
光ＳＷ制御部６２は、調停部５５からのレーン削減の指示に基づいて、光ＳＷ５１における入力ポートと出力ポートとの接続を制御する（ステップＳ３７）。例えば、光ＳＷ制御部６２は、レーンの削除により伝送装置１が使用しなくなる可変レーンが光ＳＷ５１の出力ポートのいずれにも接続されないよう、光ＳＷ５１における入力ポートと出力ポートとの接続を制御する。
【０１５２】
また、調停部５５によりレーン削減が可能であると判断されると、調停部５５は、レーン識別部５３へレーン削減の許可に関する情報を通知する（ＳステップＳ３３）。
そして、レーン識別部５３は、主レーンを介してレーン削減の許可に関する情報を伝送装置１へ通知する（ステップＳ３４）。
集線装置４８からレーン削減の許可に関する情報を通知された伝送装置１は、調停部５５により削減を許可された可変レーンを用いたデータの送信を停止（終了）する（ステップＳ３５）。
【０１５３】
以上のように、本例では、伝送装置１からのレーン追加要求またはレーン削減要求に応じて、光ＳＷ５１の接続を動的に切り替えるので、伝送装置１の有する並列伝送チャネルの総数よりも少ない光モジュール５２，５３数で集線装置４８を構成することができる。
その結果、伝送システム９０における消費電力を大幅に削減することが可能となる。
ここで、図１７に戻り、メモリ（出力部）５４について説明する。
【０１５４】
メモリ５４は、レーン識別部５３により抽出された上記リンク番号及びレーン番号に基づいた順序で、伝送装置１からのデータを並べ替えて出力する。
このため、メモリ５４は、図２５に例示するように、複数のレーン識別部インタフェース（レーン識別部ＩＦ）５８−１〜５８−ｑと、記憶部５９と、メモリ制御部６０とをそなえる。なお、以下では、レーン識別部ＩＦ５８−１〜５８−ｑを区別しない場合、単にレーン識別部ＩＦ５８と表記することがある。
【０１５５】
レーン識別部ＩＦ５８は、伝送装置１から送信されるデータに含まれる上記リンク番号及びレーン番号を取り除き、リンク番号及びレーン番号除去後のデータを記憶部５９へ送出する。
また、レーン識別部ＩＦ５８は、レーン識別部５３により抽出されたリンク番号及びレーン番号をメモリ制御部６０へ通知する。
【０１５６】
さらに、レーン識別部ＩＦ５８は、伝送装置１から送信されるデータについてスキュー補償を行なうこともできる。
記憶部５９は、レーン識別部ＩＦ５８からのリンク番号及びレーン番号除去後のデータを格納するとともに、メモリ制御部６０からの制御を受けて、当該データの順序を並べ替えて、並べ替え後のデータをＵＬ信号生成部４９へ送出する。
【０１５７】
メモリ制御部６０は、レーン識別部ＩＦ５８からのリンク番号及びレーン番号に基づいて、記憶部５９に格納されるリンク番号及びレーン番号除去後のデータについて、所定の順序に並べ替える制御を行なう。ここで、所定の順序とは、例えば、複数のデータが、リンク番号毎に、小さいレーン番号から大きいレーン番号へと並ぶような順序のことをいう。
【０１５８】
ここで、上記並べ替え処理について、図２６を用いて説明する。
集線装置４８と各伝送装置１との間で使用されるレーンは任意であるため、集線装置４８側では、レーン識別部５３で認識されるリンク番号及びレーン番号に基づき、メモリ５４からの読出し順序の制御を行なう。
そのため、集線装置４８では、各伝送装置１のレーン番号に対応した順序でデータの並べ替えが行なわれ、ＵＬ側へ送出される。
【０１５９】
そこで、例えば、図２６に示すように、まず、レーン識別部５３が、伝送装置１から送信されるデータに含まれるリンク番号及びレーン番号を抽出し識別する〔図２６の（１）〕。
図２６に示す例では、レーン識別部５３−１により受信されるデータが、伝送装置１−１（リンク番号＃１）が使用する主レーン（レーン番号＃１）により送信されるデータであり、レーン識別部５３−２１により受信されるデータが、伝送装置１−１（リンク番号＃１）が使用する可変レーン（レーン番号＃２）により送信されるデータであることを示している。また、レーン識別部５３−２７により受信されるデータが、伝送装置１−１（リンク番号＃１）が使用する可変レーン（レーン番号＃４）により送信されるデータであり、レーン識別部５３−３５により受信されるデータが、伝送装置１−１（リンク番号＃１）が使用する可変レーン（レーン番号＃３）により送信されるデータであることを示している。
【０１６０】
さらに、データの到着順序は、例えば、レーン番号＃３を介して送信されるデータ，レーン番号＃４を介して送信されるデータ，レーン番号＃２を介して送信されるデータ，レーン番号＃１を介して送信されるデータの順であることを示している。
次いで、レーン識別部ＩＦ５８が、上記の各データについて、スキュー補償処理を行なうとともに、当該各データからリンク番号及びレーン番号を除去して、リンク番号及びレーン番号を除去後のデータを記憶部５９へ書き込む〔図２６の（２）〕。
【０１６１】
そして、メモリ制御部６０が、例えば、記憶部５９に格納された上記の各データをレーン番号順に読み出すことにより、データをリンク番号及びレーン番号に基づいた順序で並べ替えて出力する〔図２６の（３）〕。
これにより、本例の集線装置４８は、伝送装置１により使用される並列伝送チャネルと各光モジュール５２，５３との対応関係が任意であっても、伝送装置１からのデータをリンク番号及びレーン番号に応じた順序で並べ替えて出力することができる。
【０１６２】
ここで、再び図１７に戻り、ＵＬ信号生成部４９及び光送信部５０について説明する。
ＵＬ信号生成部４９は、メモリ５４からのデータを基にＵＬ信号を生成する。例えば、ＵＬ信号生成部４９は、伝送装置１からのデータを集約し、ＵＬ側の伝送路あるいはＵＬ側の伝送システムで用いられる伝送フォーマットに応じたフォーマット変換処理などを施す。ＵＬ信号生成部４９により生成されたＵＬ信号は、光送信部５０へ送出される。
【０１６３】
また、光送信部５０は、ＵＬ信号生成部４９からのＵＬ信号に所定の光送信処理を施して、ＵＬ側の伝送路あるいはＵＬ側の伝送システムへ送信する。
以上のように、伝送システム９０では、伝送装置１が有する合計Ｎ×ｎ本の並列伝送チャネルの数よりも少ない数の光モジュール５２，５３を用いて、伝送装置１を集線することができるので、システムの消費電力を大幅に削減することが可能となる。
【０１６４】
また、本例の伝送システム９０は、伝送装置１がより高速な信号を送信する場合も大幅なシステム変更を加えることなく適用することが可能である。例えば、リンク速度が１Ｔｂｐｓクラスの伝送装置は、２５Ｇｂｐｓ×４０レーンでのデータ送信を行なうことが考えられるが、少なくとも光ＳＷ５１の入力ポート数を増加させることで対応が可能である。
【０１６５】
〔４〕変形例
上述した伝送システム９０では、集線装置４８が、複数の伝送装置１をＵＬ側へ集線する例について説明したが、本例のように、集線装置が、ＵＬ方向とは逆のダウンリンク（ＤＬ）方向から受信したＤＬ信号を複数の伝送装置１へ分配するようにしてもよい。
ここで、図２７に伝送システム９１の構成の一例を示す。
【０１６６】
この図２７に示す伝送システム９１は、例示的に、複数の伝送装置１−１〜１−Ｎと、集線装置６４とをそなえる。なお、伝送装置１の構成及び機能について既述のとおりである。
集線装置６４は、Ｎ個の伝送装置１をＵＬ側の伝送路あるいはＵＬ側の伝送システムへ集線する一方、ＵＬ側から送信されるＤＬ信号を複数の伝送装置１へ分配する。
【０１６７】
ここで、集線装置６４は、例示的に、光ＳＷ６９と、光受信部７０−１〜７０−ｑと、レーン識別部７１−１〜７１−ｑと、メモリ７２と、調停部７３と、ＵＬ信号生成部６５と、光送信部６６とをそなえる。また、集線装置６４は、例示的に、光受信部６７と、ＤＬ信号終端部６８と、メモリ７４と、レーン情報付加部７５−１〜７５−ｑと、光送信部７６−１〜７６−ｑと、光ＳＷ７７とをそなえる。なお、以下では、光受信部５２−１〜５２−ｑを区別しない場合、単に光受信部５２と表記することがあり、レーン識別部５３−１〜５３−ｑを区別しない場合、単にレーン識別部５３と表記することがある。また、レーン情報付加部７５−１〜７５−ｑを区別しない場合、単にレーン情報付加部７５と表記することがあり、光送信部７６−１〜７６−ｑを区別しない場合、単に光送信部７６と表記することがある。
【０１６８】
なお、光ＳＷ６９，光受信部７０，レーン識別部７１，メモリ７２，ＵＬ信号生成部及び光送信部６６については、既に説明した光ＳＷ５１，光受信部５２，レーン識別部５３，メモリ５４，ＵＬ信号生成部４９及び光送信部５０と同様の機能、構成を有する。
また、調停部７３は、既述の調停部５５の機能を少なくとも有する。
ここで、光受信部６７は、ＵＬ側の伝送路あるいはＵＬ側の伝送システムから送信されるＤＬ信号に所定の光受信処理を施して、ＤＬ信号終端部６８へ受信した光信号を送出する。
【０１６９】
ＤＬ信号終端部６８は、光受信部６７からのＤＬ信号を終端する。ＤＬ信号には、例えば、各伝送装置１宛のデータが含まれている。ＤＬ信号終端部６８は、例えば、ＤＬ信号を各伝送装置１宛のデータに分解してメモリ７４へ送出する。
メモリ７４は、ＤＬ信号終端部６８からのデータを、伝送装置１の使用する各並列伝送チャネルに分配する。
【０１７０】
このため、メモリ７４は、図２８に例示するように、メモリ制御部７８と、記憶部７９と、レーン情報付加部ＩＦ８０−１〜８０−ｑとをそなえる。なお、以下では、レーン情報付加部ＩＦ８０−１〜８０−ｑを区別しない場合、単にレーン情報付加部ＩＦ８０と表記することがある。
ここで、記憶部７９は、ＤＬ信号終端部６８からのＤＬ信号を格納する。
【０１７１】
そして、メモリ制御部７８は、記憶部７９に格納されるＤＬ信号から伝送装置１毎及びレーン毎に対応するデータを読み出すよう記憶部７９を制御する。どのデータがどの伝送装置１及びどの並列伝送チャネルに対応するかは、ＤＬ信号に含まれる制御信号などにより通知されてもよいし、調停部７３におけるＵＬ側への送信処理に基づいて決定されてもよい。
【０１７２】
レーン情報付加部ＩＦ８０は、メモリ制御部７８により読み出された記憶部７９からのデータをレーン情報付加部７５へ送出する。このとき、レーン情報付加部ＩＦ８０は、例えば、各データに対応するリンク番号及びレーン番号をレーン情報付加部７５に通知するようにしてもよい。なお、どのデータにどのリンク番号及びレーン番号を付加されるかは、例えば、メモリ制御部７８を介して調停部７３からレーン情報付加部７５に通知されるようにしてもよい。
【０１７３】
ここで、図２７に示すレーン情報付加部７５は、メモリ７４からのデータにリンク番号及びレーン番号を付加する。
このため、レーン情報付加部７５は、図２９に例示するように、リンク／レーン番号付加部８１と、レーン増減要求処理部８２とをそなえる。
リンク／レーン番号付加部８１は、レーン情報付加部ＩＦ８０からのデータに、当該データに対応するリンク番号及びレーン番号を付加する。なお、当該リンク番号及びレーン番号は、例えば、レーン情報付加部ＩＦ８０により通知されてもよいし、調停部７３により通知されてもよい。
【０１７４】
ここで、上記のリンク番号及びレーン番号の付加処理について、図３０を用いて説明する。
例えば、図３０に示すように、まず、メモリ７４が、ＤＬ信号終端部６８からＤＬ信号を受信し格納する〔図３０の（１）〕。
図３０に示す例では、ＤＬ信号は、例えば、伝送装置１−１（リンク番号＃１）の各並列伝送チャネル（レーン番号＃１〜＃４）宛のデータを少なくとも含む。
【０１７５】
このとき、データの到着順序は、例えば、レーン番号＃１を介して送信されるデータ，レーン番号＃２を介して送信されるデータ，レーン番号＃３を介して送信されるデータ，レーン番号＃４を介して送信されるデータの順となっている。
次いで、メモリ制御部７８が、各データをレーン情報付加部７５へ分配する〔図３０の（２）〕。
【０１７６】
これにより、図３０に示す例では、伝送装置１−１の主レーン（レーン番号＃１）宛のデータがレーン情報付加部７５−１へ送出され、伝送装置１−１の可変レーン（レーン番号＃２１）宛のデータがレーン情報付加部７５−２１へ送出される。また、伝送装置１−１の可変レーン（レーン番号＃２７）宛のデータがレーン情報付加部７５−２７へ送出され、伝送装置１−１の可変レーン（レーン番号＃３５）宛のデータがレーン情報付加部７５−３５へ送出される。
【０１７７】
そして、各レーン情報付加部７５が、各データにリンク番号及びレーン番号を付加して、光送信部７６へ送出する〔図３０の（３）〕。
また、図２９に示すリンク／レーン番号付加部８１は、レーン情報付加部ＩＦ８０からのデータに含まれるＵＬ側からのレーン追加要求またはレーン削減要求を抽出してレーン増減要求処理部８２へ通知する。
【０１７８】
さらに、レーン増減要求処理部８２は、リンク／レーン番号付加部８１により抽出されたＵＬ側からのレーン追加要求またはレーン削減要求を調停部７３へ通知する。なお、並列伝送チャネルの追加または削減要求は主レーンを介して送信されるので、レーン増減要求処理部８２は、主レーンと接続されるレーン情報付加部７５（例えば、レーン情報付加部７５−１〜７５−２０）に少なくとも設けられていればよい。
【０１７９】
また、図２７に示す調停部７３は、既述の調停部５５の機能を少なくとも有し、さらに、レーン情報付加部７５によりデータに付加されたリンク番号及びレーン番号に基づき、光ＳＷ７７における入力ポートと出力ポートとの接続を制御する。
レーン情報付加部７５からのデータは、光送信部７６により光ＳＷ７７へ送出され、光ＳＷ７７により、伝送装置１へ中継される。
【０１８０】
ここで、本例の光ＳＷ７７は、例えば、Ｎ個の伝送装置１にｎ本の並列伝送チャネルをそれぞれ介して接続されるＮ×ｎ個の入力ポートと、当該Ｎ×ｎ個の入力ポートに選択的に接続され、Ｎ×ｎ個の入力ポートよりも少ない複数の出力ポートとを有する。
そして、調停部７３は、ＤＬ信号に含まれるデータの宛先である並列伝送チャネルに、光送信部７６が接続されるよう、光ＳＷ７７における入力ポートと出力ポートとの接続を制御する。
【０１８１】
これにより、本例の集線装置６４は、光受信部７０及びレーン識別部７１の数を削減できることに加えて、レーン情報付加部７５及び光送信部７６の数を削減することができるので、伝送システム９１における消費電力の更なる削減が可能である。
〔５〕その他
なお、上述した伝送装置１及び集線装置４１，４８，６４の各構成及び各処理は、必要に応じて取捨選択してもよいし、適宜組み合わせてもよい。
【０１８２】
例えば、本発明は、並列伝送チャネルを用いた伝送システムに適用することができ、上述した光伝送システム３０，４０，９０及び９１に限定されない。
また、伝送システム４０，９０及び９１に用いられる伝送装置１は、例えば、データ量に応じて複数の並列伝送チャネルのうち使用する少なくとも１つの並列伝送チャネルを決定し、当該並列伝送チャネルを用いてデータを送信する機能を少なくともそなえていればよい。
【０１８３】
さらに、上記伝送システム４０に用いられる集線装置４１及び伝送システム９０に用いられる集線装置４８は、例えば、伝送装置１からのデータが入力されない光モジュール４２，４３，４４，５２，５３への電力供給を停止するようにしてもよい。また、上記伝送システム９１に用いられる集線装置６４は、例えば、伝送装置１からのデータが入力されない光モジュール７０，７１，７５，７６への電力供給を停止するようにしてもよい。このようにすれば、消費電力の更なる削減が可能である。
【０１８４】
以上の実施形態に関し、さらに以下の付記を開示する。
〔６〕付記
（付記１）
入力されたデータを分割し、複数の並列伝送チャネルを用いて前記分割データを送信する伝送装置であって、
前記複数の並列伝送チャネルを用いて前記分割データを送信しうる複数の送信部と、
前記データ量に応じて前記複数の並列伝送チャネルのうち使用する少なくとも１つの並列伝送チャネルを決定するチャネル決定部と、
前記複数の送信部のうち、前記チャネル決定部により決定される前記並列伝送チャネルを用いて前記分割データを送信する送信部に電源を供給する一方、前記複数の送信部のうち、前記分割データを送信しない送信部には電源を供給しない電源制御部と、をそなえた、
ことを特徴とする、伝送装置。
【０１８５】
（付記２）
前記データは、１つの入力チャネルを介して前記伝送装置に入力され、前記分割データは、前記入力チャネルに対応する前記複数の並列伝送チャネルを介して出力される、
ことを特徴とする、付記１記載の伝送装置。
（付記３）
前記分割データを、前記電源制御部により前記電源を供給される、前記送信部に分配する分配部をさらにそなえた、
ことを特徴とする、付記１または２に記載の伝送装置。
【０１８６】
（付記４）
前記送信部が、
前記チャネル決定部により決定された前記並列伝送チャネルに関する制御情報を送信する、
ことを特徴とする、付記１〜３のいずれか１項に記載の伝送装置。
【０１８７】
（付記５）
前記制御情報は、前記分割データを送信する伝送フレームのヘッダ部分に含まれる、
ことを特徴とする、付記４記載の伝送装置。
（付記６）
前記電源の供給は、前記チャネル決定部による前記決定に先んじて行なわれる、
ことを特徴とする、付記１〜５のいずれか１項に記載の伝送装置。
【０１８８】
（付記７）
前記分割データを保持する複数のメモリ部と、
前記データ量に応じて前記複数のメモリ部のうち使用する少なくとも１つのメモリ部を決定するメモリ制御部と、
前記複数のメモリ部のうち、前記メモリ制御部により決定された前記メモリ部に電源を供給する一方、前記複数のメモリ部のうち、前記メモリ制御部により決定されなかったメモリ部には電源を供給しないメモリ電源制御部と、をさらにそなえた、
ことを特徴とする、付記１〜６のいずれか１項に記載の伝送装置。
【０１８９】
（付記８）
前記制御情報は、前記複数の並列伝送チャネルのうち使用する並列伝送チャネルの増減に関する情報を含む、
ことを特徴とする、付記４〜７のいずれか１項に記載の伝送装置。
（付記９）
前記制御情報は、前記複数の並列伝送チャネルのうち使用する並列伝送チャネルまたは使用しない並列伝送チャネルに関する情報を含む、
ことを特徴とする、付記４〜７のいずれか１項に記載の伝送装置。
【０１９０】
（付記１０）
複数の並列伝送チャネルを用いて分割データを受信する伝送装置であって、
前記複数の並列伝送チャネルを用いて、前記分割データと、前記データ量に応じて付記１〜９のいずれか１項に記載の伝送装置により決定された、前記複数の並列伝送チャネルのうち使用する少なくとも１つの並列伝送チャネルに関する制御情報とを受信しうる複数の受信部と、
前記受信部により受信した前記制御情報に基づいて、前記複数の受信部のうち、前記使用する少なくとも１つの並列伝送チャネルに対応する受信部に電源を供給する一方、前記複数の受信部のうち、前記使用する少なくとも１つの並列伝送チャネルに対応しない受信部には電源を供給しない電源制御部と、をそなえた、
ことを特徴とする、伝送装置。
【０１９１】
（付記１１）
入力されたデータを分割し、複数の並列伝送チャネルを用いて前記分割データを送信する複数の送信部を有する伝送装置の通信制御方法であって、
前記データ量に応じて前記複数の並列伝送チャネルのうち使用する少なくとも１つの並列伝送チャネルを決定し、
前記複数の送信部のうち、前記決定した前記並列伝送チャネルを用いて前記分割データを送信する送信部に電源を供給する一方、前記複数の送信部のうち、前記分割データを送信しない送信部には電源を供給しない、
ことを特徴とする、通信制御方法。
【０１９２】
（付記１２）
複数の並列伝送チャネルを用いて分割データを受信する複数の受信部を有する伝送装置の通信制御方法であって、
前記複数の並列伝送チャネルを用いて、前記分割データと、前記データ量に応じて付記１〜９のいずれか１項に記載の伝送装置により決定された、前記複数の並列伝送チャネルのうち使用する少なくとも１つの並列伝送チャネルに関する制御情報とを受信し、
前記受信した前記制御情報に基づいて、前記複数の受信部のうち、前記使用する少なくとも１つの並列伝送チャネルに対応する受信部に電源を供給する一方、前記複数の受信部のうち、前記使用する少なくとも１つの並列伝送チャネルに対応しない受信部には電源を供給しない、
ことを特徴とする、通信制御方法。
【０１９３】
（付記１３）
付記１〜９のいずれか１項に記載の伝送装置と、付記１０記載の伝送装置と、をそなえた、
ことを特徴とする、伝送システム。
（付記１４）
付記１〜９のいずれか１項に記載の複数の伝送装置に複数の並列伝送チャネルをそれぞれ介して接続される複数の入力ポートと、前記複数の入力ポートに選択的に接続され、前記複数の入力ポートよりも少ない複数の出力ポートとを有する光スイッチと、
前記出力ポートにそれぞれ接続され、前記複数の伝送装置から送信されるデータを処理する複数の光モジュールと、
前記処理によりデータからそれぞれ抽出される、前記の各伝送装置による並列伝送チャネルの使用に関する制御情報に基づいて、前記光スイッチにおける入力ポートと出力ポートとの接続を制御する制御部とをそなえ、
前記制御部が、
前記伝送装置により使用される並列伝送チャネルが前記光モジュールに接続されるように前記光スイッチにおける入力ポートと出力ポートとの接続を制御する、
ことを特徴とする、集線装置。
【０１９４】
（付記１５）
前記の各伝送装置が、少なくとも１つの並列伝送チャネルをそれぞれ使用し、
前記制御情報が、当該並列伝送チャネルにより送信されるデータに含まれる、
ことを特徴とする、付記１４記載の集線装置。
（付記１６）
前記光モジュールが、
前記伝送装置により並列伝送チャネルを介して送信される複数のデータにそれぞれ含まれる、当該伝送装置の識別情報と当該並列伝送チャネルの識別情報とを抽出し、
前記抽出された伝送装置の識別情報と並列伝送チャネルの識別情報とに基づいた順序で前記複数のデータを並べ替えて出力する出力部をそなえた、
ことを特徴とする、付記１４または１５に記載の集線装置。
【０１９５】
（付記１７）
付記１〜９のいずれか１項に記載の伝送装置と、付記１４〜１６のいずれか１項に記載の集線装置とをそなえた、
ことを特徴とする、伝送システム。
（付記１８）
複数の並列伝送チャネルを用いてデータをそれぞれ送信する複数の伝送装置であって、前記データ量に応じて前記複数の並列伝送チャネルのうち使用する少なくとも１つの並列伝送チャネルを決定し、前記決定した少なくとも１つの並列伝送チャネルを用いて前記データを送信する複数の伝送装置に複数の並列伝送チャネルをそれぞれ介して接続される複数の入力ポートと、前記複数の入力ポートに選択的に接続され、前記複数の入力ポートよりも少ない複数の出力ポートとを有する光スイッチと、
前記出力ポートにそれぞれ接続され、前記複数の伝送装置から送信されるデータを処理する複数の光モジュールと、
前記処理によりデータからそれぞれ抽出される、前記の各伝送装置による並列伝送チャネルの使用に関する制御情報に基づいて、前記光スイッチにおける入力ポートと出力ポートとの接続を制御する制御部とをそなえ、
前記制御部が、
前記伝送装置により使用される並列伝送チャネルが前記光モジュールに接続されるように前記光スイッチにおける入力ポートと出力ポートとの接続を制御する、
ことを特徴とする、集線装置。
【０１９６】
（付記１９）
複数の並列伝送チャネルを用いてデータをそれぞれ送信する複数の伝送装置であって、前記データ量に応じて前記複数の並列伝送チャネルのうち使用する少なくとも１つの並列伝送チャネルを決定し、前記決定した少なくとも１つの並列伝送チャネルを用いて前記データを送信する複数の伝送装置と、
前記複数の伝送装置に複数の並列伝送チャネルをそれぞれ介して接続される複数の入力ポートと、前記複数の入力ポートに選択的に接続され、前記複数の入力ポートよりも少ない複数の出力ポートとを有する光スイッチと、前記出力ポートにそれぞれ接続され、前記複数の伝送装置から送信されるデータを処理する複数の光モジュールと、前記処理によりデータからそれぞれ抽出される、前記の各伝送装置による並列伝送チャネルの使用に関する制御情報に基づいて、前記光スイッチにおける入力ポートと出力ポートとの接続を制御する制御部とをそなえ、前記制御部が、前記伝送装置により使用される並列伝送チャネルが前記光モジュールに接続されるように前記光スイッチにおける入力ポートと出力ポートとの接続を制御する集線装置とをそなえた、
ことを特徴とする、伝送システム。
【符号の説明】
【０１９７】
１，１Ａ，１Ｂ，１−１〜１−２０  伝送装置
２，２´  送信制御部
３  メモリ監視部
４  リンク制御部
５，５´  メモリ部
６  ＩＦ部
７，７−１〜７−ｎ  フレーム生成部
８，８−１〜８−ｎ  伝送路符号化部
９  多重部
１０，１０−１〜１０−ｎ  光送信部
１１，１１−１〜１１−ｎ  光受信部
１２  分離部
１３，１３−１〜１３−ｎ  伝送路復号化部
１４，１４−１〜１４−ｎ  フレーム終端部
１５  受信制御部
１６  リンク制御部
１７  ＩＦ部
１８  チャネル増減決定部
１９  データ蓄積量監視部
２０  チャネル増減制御部
２１  電源制御部
２２  チャネル分配制御部
２３ａ，２３ｂ，２３ｃ，２３ｄ  メモリ部
２４  メモリ制御部
２５  アイドル信号除去部
２６  メモリＩＦ部
２７  トラフィック分配部
２８  光モジュール制御部
２９  温調制御部
３０  光伝送システム
３１  波長モニタ部
３２  制御情報抽出部
３３  アイドル信号付加部
３４  チャネル増減制御部
３５  電源制御部
３６  メモリ電源制御部
４０，９０，９１  伝送システム
４１，４８，６４  集線装置
４２−１〜４２−８０，５２−１〜５２−ｑ，６７，７０−１〜７０−ｑ  光受信部
４３−１〜４３−８０  スキュー補償部
４４−１〜４４−８０  信号再生部
４５，７４  メモリ
４６，４９，６５  ＵＬ信号生成部
４７，５０，６６，７６−１〜７６−ｑ  光送信部
５１，６９，７７  光スイッチ（光ＳＷ）
５３−１〜５３−ｑ，７１−１〜７１−ｑ  レーン識別部
５４，７２  メモリ（出力部）
５５，７３  調停部（制御部）
５６  リンク／レーン識別部
５７，８２  レーン増減要求処理部
５８−１〜５８−ｑ  レーン識別部ＩＦ
５９，７９  記憶部
６０，７８  メモリ制御部
６１  レーン接続調停部
６２  光ＳＷ制御部
６３  テーブル
６８  ＤＬ信号終端部
７５−１〜７５−ｑ  レーン情報付加部
８０−１〜８０−ｑ  レーン情報付加部ＩＦ
８１  リンク／レーン番号付加部
１００−１，１００−２  伝送装置
２００−１，２００−２  Ｌ１／Ｌ２フレーム生成・受信部
２０１  ＭＡＣ処理部
２０２  物理層符号化部
２０３  Ｖｉｒｔｕａｌ  Ｌａｎｅ処理部
２０４  Ｍｕｘ
３００−１〜３００−８  送受信部
４００  伝送システム
【図１】
2010263610.tif 000003
【図２】
2010263610.tif 000004
【図３】
2010263610.tif 000005
【図４】
2010263610.tif 000006
【図５】
2010263610.tif 000007
【図６】
2010263610.tif 000008
【図７】
2010263610.tif 000009
【図８】
2010263610.tif 000010
【図９】
2010263610.tif 000011
【図１０】
2010263610.tif 000012
【図１１】
2010263610.tif 000013
【図１２】
2010263610.tif 000014
【図１３】
2010263610.tif 000015
【図１４】
2010263610.tif 000016
【図１５】
2010263610.tif 000017
【図１６】
2010263610.tif 000018
【図１７】
2010263610.tif 000019
【図１８】
2010263610.tif 000020
【図１９】
2010263610.tif 000021
【図２０】
2010263610.tif 000022
【図２１】
2010263610.tif 000023
【図２２】
2010263610.tif 000024
【図２３】
2010263610.tif 000025
【図２４】
2010263610.tif 000026
【図２５】
2010263610.tif 000027
【図２６】
2010263610.tif 000028
【図２７】
2010263610.tif 000029
【図２８】
2010263610.tif 000030
【図２９】
2010263610.tif 000031
【図３０】
2010263610.tif 000032